(57)【要約】  本発明は、無線通信システムにおいて端末と基地局との間で信号を送受信する方法及びそれを支援する装置に関する。より具体的には、本発明では、基地局が様々なビーム方向に同期信号ブロックを送信する場合、端末が同期信号ブロックのインデックスを検出して基地局と同期化及び信号送受信を行う構成を開示する。【選択図】図１３
2019537879.tif 000002
【特許請求の範囲】
【請求項１】
無線通信システムにおいて端末が基地局と信号を送受信する方法において、
前記基地局から同期信号／物理放送チャネル(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅｌ；ＳＳ／ＰＢＣＨ)ブロックを受信し、
前記ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は前記シーケンスと前記ＰＢＣＨに含まれた情報の組み合わせに基づいて、前記受信されたＳＳ／ＰＢＣＨブロックのインデックスを決定し、
前記決定されたＳＳ／ＰＢＣＨブロックのインデックスに基づいて前記基地局と同期化を行うことを含む、端末の信号送受信方法。
【請求項２】
前記ＳＳ／ＰＢＣＨブロックは、
１次同期信号(Ｐｒｉｍａｒｙ Ｓｙｎｃｈｒｏｎｉｚａｔｉｏｎ Ｓｉｇｎａｌ；ＰＳＳ)及び２次同期信号(Ｓｅｃｏｎｄａｒｙ Ｓｙｎｃｈｒｏｎｉｚａｔｉｏｎ Ｓｉｇｎａｌ；ＳＳＳ)をさらに含む、請求項１に記載の端末の信号送受信方法。
【請求項３】
前記端末は、前記ＰＳＳ及びＳＳＳに基づいて時間同期及びセル識別子(ｃｅｌｌ ｉｄｅｎｔｉｆｉｅｒ；ｃｅｌｌ ＩＤ)を得ることをさらに含む、請求項２に記載の端末の信号送受信方法。
【請求項４】
前記ＤＭ−ＲＳのシーケンスとしてゴールドシーケンス(Ｇｏｌｄ Ｓｅｑｕｅｎｃｅ)が用いられる、請求項３に記載の端末の信号送受信方法。
【請求項５】
前記ゴールドシーケンスは、前記ｃｅｌｌ ＩＤ及び前記同期信号ブロックのインデックスに基づいて決定される初期値を用いる、請求項４に記載の端末の信号送受信方法。
【請求項６】
前記ＰＢＣＨの送信時間区間(ｔｒａｎｓｍｉｓｓｉｏｎ Ｔｉｍｅ Ｉｎｔｅｒｖａｌ；ＴＴＩ)は８０ｍｓである、請求項１に記載の端末の信号送受信方法。
【請求項７】
無線通信システムにおいて基地局が端末と信号を送受信する方法において、
１つ以上の同期信号／物理放送チャネル(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅｌ；ＳＳ／ＰＢＣＨ)ブロックを送信し、
各ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は前記シーケンスと前記ＰＢＣＨに含まれた情報の組み合わせは、各ＳＳ／ＰＢＣＨブロックのインデックスを指示し、
前記１つ以上のＳＳ／ＰＢＣＨブロックに基づいて前記基地局と同期化を行う端末と信号を送受信することを含む、基地局の信号送受信方法。
【請求項８】
前記１つ以上のＳＳ／ＰＢＣＨブロックは互いに独立したビームで送信される、請求項７に記載の基地局の信号送受信方法。
【請求項９】
前記ＳＳ／ＰＢＣＨブロックは、
１次同期信号(Ｐｒｉｍａｒｙ Ｓｙｎｃｈｒｏｎｉｚａｔｉｏｎ Ｓｉｇｎａｌ；ＰＳＳ)及び２次同期信号(Ｓｅｃｏｎｄａｒｙ Ｓｙｎｃｈｒｏｎｉｚａｔｉｏｎ Ｓｉｇｎａｌ；ＳＳＳ)をさらに含む、請求項７に記載の基地局の信号送受信方法。
【請求項１０】
各ＳＳ／ＰＢＣＨブロックに含まれたＰＢＣＨのためのＤＭ−ＲＳのシーケンスは、
セル識別子(ｃｅｌｌ ｉｄｅｎｔｉｆｉｅｒ；ｃｅｌｌ ＩＤ)及び各ＳＳ／ＰＢＣＨブロックインデックスに基づくゴールドシーケンス(Ｇｏｌｄ Ｓｅｑｕｅｎｃｅ)に対応する、請求項９に記載の基地局の信号送受信方法。
【請求項１１】
無線通信システムにおいて基地局と信号を送受信する端末において、
送信部と、
受信部と、
前記送信部及び受信部に連結されて動作するプロセッサを含み、
前記プロセッサは、
前記基地局から同期信号／物理放送チャネル(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅｌ；ＳＳ／ＰＢＣＨ)ブロックを受信し、
前記ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は前記シーケンスと前記ＰＢＣＨに含まれた情報の組み合わせに基づいて、前記受信されたＳＳ／ＰＢＣＨブロックのインデックスを決定し、
前記決定されたＳＳ／ＰＢＣＨブロックのインデックスに基づいて前記基地局と同期化を行うように構成される、端末。
【請求項１２】
無線通信システムにおいて端末と信号を送受信する基地局において、
送信部と、
受信部と、
前記送信部及び受信部に連結されて動作するプロセッサを含み、
前記プロセッサは、
１つ以上の同期信号／物理放送チャネル(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅｌ；ＳＳ／ＰＢＣＨ)ブロックを送信し、
各ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は前記シーケンスと前記ＰＢＣＨに含まれた情報の組み合わせは各ＳＳ／ＰＢＣＨブロックのインデックスを指示し、
前記１つ以上のＳＳ／ＰＢＣＨブロックに基づいて前記基地局と同期化を行う端末と信号を送受信するように構成される、基地局。
【発明の詳細な説明】
【技術分野】
【０００１】
以下の説明は無線通信システムに関し、１つ以上のビーム方向への送信を支援する無線通信システムにおいて端末と基地局の間で信号を送受信する方法及びそれを支援する装置に関する。
【０００２】
より具体的には、以下の説明は基地局が１つ以上のビーム方向に同期信号ブロックを送信する場合、端末が受信された同期信号ブロックのインデックス(例えば、ＳＳ／ＰＢＣＨ ｂｌｏｃｋ ｉｎｄｅｘ)を検出して基地局と同期化及び信号送受信を行う方法に関する説明を含む。
【背景技術】
【０００３】
無線接続システムが音声やデータなどの種々の通信サービスを提供するために広範囲に展開されている。一般に、無線接続システムは可用のシステムリソース(帯域幅、送信電力など)を共有して複数のユーザとの通信を支援できる多重接続(ｍｕｌｔｉｐｌｅ ａｃｃｅｓｓ)システムである。多重接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【０００４】
なお、多数の通信機器がより大きな通信容量を要求することにより、既存のＲＡＴ(ｒａｄｉｏ ａｃｃｅｓｓ ｔｅｃｈｎｏｌｏｇｙ)に比べて向上したモバイルブロードバンド通信の必要性が高まっている。また、多数の機器及び物事を連結していつでもどこでも多様なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)が次世代通信において考えられている。さらに信頼性及び遅延などに敏感なサービス／ＵＥを考慮した通信システムのデザインも考えられている。
【０００５】
このように向上したモバイルブロードバンド通信、大規模ＭＴＣ、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮した次世代ＲＡＴの導入が論議されている。
【発明の概要】
【発明が解決しようとする課題】
【０００６】
本発明の目的は、新しく提案される通信システムにおいて端末と基地局の間の信号送受信方法を提供することにある。
【０００７】
特に、新しく提案される通信システムにおいて基地局が１つ以上のビーム方向に同期信号ブロックを送信する場合、端末が受信した同期信号ブロックのインデックスを検出して基地局と同期化及び信号送受信を行う構成を提供することを目的とする。
【０００８】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
本発明は、無線通信システムにおいて端末と基地局の間で信号を送受信する方法及び装置を提供する。
【００１０】
本発明の一態様であって、無線通信システムにおいて端末が基地局と信号を送受信する方法において、基地局から同期信号／物理放送チャネル(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅｌ；ＳＳ／ＰＢＣＨ)ブロックを受信し、ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又はシーケンスとＰＢＣＨに含まれた情報の組み合わせに基づいて、受信されたＳＳ／ＰＢＣＨブロックのインデックスを決定し、決定されたＳＳ／ＰＢＣＨブロックのインデックスに基づいて基地局と同期化を行うことを含む、端末の信号送受信方法を提案する。
【００１１】
本発明の他の態様であって、無線通信システムにおいて基地局と信号を送受信する端末において、送信部と、受信部と、送信部及び受信部に連結されて動作するプロセッサを含み、該プロセッサは、基地局からＳＳ／ＰＢＣＨブロックを受信し、該ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は該シーケンスとＰＢＣＨに含まれた情報の組み合わせに基づいて、受信されたＳＳ／ＰＢＣＨブロックのインデックスを決定し、決定されたＳＳ／ＰＢＣＨブロックのインデックスに基づいて基地局と同期化を行うように構成される、端末を提案する。
【００１２】
ＳＳ／ＰＢＣＨブロックはさらに１次同期信号(Ｐｒｉｍａｒｙ Ｓｙｎｃｈｒｏｎｉｚａｔｉｏｎ Ｓｉｇｎａｌ；ＰＳＳ)及び２次同期信号(Ｓｅｃｏｎｄａｒｙ Ｓｙｎｃｈｒｏｎｉｚａｔｉｏｎ Ｓｉｇｎａｌ；ＳＳＳ)を含む。
【００１３】
この時、さらに端末はＰＳＳ及びＳＳＳに基づいて時間同期及びセル識別子(ｃｅｌｌ ｉｄｅｎｔｉｆｉｅｒ；ｃｅｌｌ ＩＤ)を得る;ことを含む。
【００１４】
場合によって、ＤＭ−ＲＳのシーケンスとしてゴールドシーケンス(Ｇｏｌｄ Ｓｅｑｕｅｎｃｅ)を用いることができる。
【００１５】
一例として、ゴールドシーケンスはｃｅｌｌ ＩＤ及び同期信号ブロックのインデックスに基づいて決定される初期値を用いることができる。
【００１６】
構成において、ＰＢＣＨの送信時間区間(ｔｒａｎｓｍｉｓｓｉｏｎ Ｔｉｍｅ Ｉｎｔｅｒｖａｌ；ＴＴＩ)としては８０ｍｓを適用できる。
【００１７】
本発明のさらに他の態様として、無線通信システムにおいて基地局が端末と信号を送受信する方法において、１つ以上のＳＳ／ＰＢＣＨブロックを送信し、各ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は該シーケンスとＰＢＣＨに含まれた情報の組み合わせは、各ＳＳ／ＰＢＣＨブロックのインデックスを指示し、１つ以上のＳＳ／ＰＢＣＨブロックに基づいて基地局と同期化を行う端末と信号を送受信することを含む、基地局の信号送受信方法を提案する。
【００１８】
本発明のさらに他の態様として、無線通信システムにおいて端末と信号を送受信する基地局において、送信部と、受信部と、送信部及び受信部に連結されて動作するプロセッサを含み、該プロセッサは、１つ以上のＳＳ／ＰＢＣＨブロックを送信し、各ＳＳ／ＰＢＣＨブロックに含まれた物理放送チャネル(Ｐｈｙｓｉｃａｌ Ｂｒｏａｄｃａｓｔ Ｃｈａｎｎｅｌ；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又はシーケンスとＰＢＣＨに含まれた情報の組み合わせは各ＳＳ／ＰＢＣＨブロックのインデックスを指示し、１つ以上のＳＳ／ＰＢＣＨブロックに基づいて基地局と同期化を行う端末と信号を送受信するように構成される、基地局を提案する。
【００１９】
ここで、１つ以上のＳＳ／ＰＢＣＨブロックは互いに独立したビームで送信されることができる。
【００２０】
ＳＳ／ＰＢＣＨブロックはさらに１次同期信号(Ｐｒｉｍａｒｙ Ｓｙｎｃｈｒｏｎｉｚａｔｉｏｎ Ｓｉｇｎａｌ；ＰＳＳ)及び２次同期信号(Ｓｅｃｏｎｄａｒｙ Ｓｙｎｃｈｒｏｎｉｚａｔｉｏｎ Ｓｉｇｎａｌ；ＳＳＳ)を含む。
【００２１】
また、各ＳＳ／ＰＢＣＨブロックに含まれたＰＢＣＨのためのＤＭ−ＲＳのシーケンスは、セル識別子(ｃｅｌｌ ｉｄｅｎｔｉｆｉｅｒ；ｃｅｌｌ ＩＤ)及び各ＳＳ／ＰＢＣＨブロックインデックスに基づくゴールドシーケンス(Ｇｏｌｄ Ｓｅｑｕｅｎｃｅ)に対応するように設定されることができる。
【００２２】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００２３】
本発明の実施例によれば、次のような効果がある。
【００２４】
本発明によれば、基地局が１つ以上のビーム方向に同期信号ブロックを送信する場合、端末は受信された同期信号ブロックのインデックスを検出して、該検出された同期信号ブロックが複数の同期信号ブロックのうちのどれに対応するかを検出することができ、それに基づいて基地局と同期化及び信号送受信を行うことができる。
【００２５】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００２６】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号(ｒｅｆｅｒｅｎｃｅ ｎｕｍｅｒａｌｓ)は構造的構成要素(ｓｔｒｕｃｔｕｒａｌ ｅｌｅｍｅｎｔｓ)を意味する。
【図１】物理チャネル及びそれらを用いた信号送信方法を説明するための図である。
【図２】無線フレームの構造の一例を示す図である。
【図３】下りリンクスロットに対するリソースグリッド(ｒｅｓｏｕｒｃｅ ｇｒｉｄ)を例示する図である。
【図４】上りリンクサブフレームの構造の一例を示す図である。
【図５】下りリンクサブフレームの構造の一例を示す図である。
【図６】本発明に適用可能なセルフサブフレームの構造(Ｓｅｌｆ−Ｃｏｎｔａｉｎｅｄ ｓｕｂｆｒａｍｅ ｓｔｒｕｃｔｕｒｅ)を示す図である。
【図７】ＴＸＲＵとアンテナ要素の代表的な連結方式を示す図である。
【図８】ＴＸＲＵとアンテナ要素の代表的な連結方式を示す図である。
【図９】本発明の一例によるＴＸＲＵ及び物理的アンテナの観点におけるハイブリッドビーム形成構造を簡単に示す図である。
【図１０】本発明の一例による下りリンク(Ｄｏｗｎｌｉｎｋ、ＤＬ)の送信過程において、同期信号(Ｓｙｎｃｈｒｏｎｉｚａｔｉｏｎ ｓｉｇｎａｌ)とシステム情報(Ｓｙｓｔｅｍ ｉｎｆｏｒｍａｔｉｏｎ)に対するビーム掃引(Ｂｅａｍ ｓｗｅｅｐｉｎｇ)動作を簡単に示す図である。
【図１１】本発明に適用可能なＳＳブロックの構造を簡単に示す図である。
【図１２】１つのＳＳブロックセット周期内の複数のＳＳバーストが送信される構成を簡単に示す図である。
【図１３】本発明に適用可能な端末と基地局の間の信号送受信方法を示す図である。
【図１４】提案する実施例を具現できる端末及び基地局の構成を示す図である。
【発明を実施するための形態】
【００２７】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００２８】
図面に関する説明において、本発明の要旨を曖昧にさせ得る手順又は段階などは記述を省略し、当業者のレベルで理解可能な程度の手順又は段階も記述を省略する。
【００２９】
明細書全体を通じて、ある部分がある構成要素を「含む(ｃｏｍｐｒｉｓｉｎｇ又はｉｎｃｌｕｄｉｎｇ)」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現することができる。また、「ある(ａ又はａｎ)」、「１つ(ｏｎｅ)」、「その(ｔｈｅ)」及び類似の関連語は、本発明を記述する文脈において(特に、以下の請求項の文脈において)本明細書に別に指示されたり文脈によって明らかに反駁されない限り、単数及び複数の両方を含む意味で使うことができる。
【００３０】
この明細書において本発明の実施例は基地局と移動局の間のデータ送受信関係を中心に説明されている。ここで、基地局は、移動局と通信を直接行うネットワークの終端ノード(ｔｅｒｍｉｎａｌ ｎｏｄｅ)としての意味を有する。本文書において基地局によって行われるとされている特定動作は、場合によっては、基地局の上位ノード(ｕｐｐｅｒ ｎｏｄｅ)によって行われてもよい。
【００３１】
即ち、基地局を含む複数のネットワークノード(ｎｅｔｗｏｒｋ ｎｏｄｅ)からなるネットワークにおいて、移動局との通信のために行われる様々な動作は、基地局、又は基地局以外の他のネットワークノードで行うことができる。このとき、「基地局」は、固定局(ｆｉｘｅｄ ｓｔａｔｉｏｎ)、Ｎｏｄｅ Ｂ、ｅＮｏｄｅ Ｂ(ｅＮＢ)、ｇＮｏｄｅ Ｂ(ｇＮＢ)、発展した基地局(ＡＢＳ：Ａｄｖａｎｃｅｄ Ｂａｓｅ Ｓｔａｔｉｏｎ)又はアクセスポイント(ａｃｃｅｓｓ ｐｏｉｎｔ)などの用語に言い換えることができる。
【００３２】
また、本発明の実施例において、端末(Ｔｅｒｍｉｎａｌ)は、ユーザ機器(ＵＥ：Ｕｓｅｒ Ｅｑｕｉｐｍｅｎｔ)、移動局(ＭＳ：Ｍｏｂｉｌｅ Ｓｔａｔｉｏｎ)、加入者端末(ＳＳ：Ｓｕｂｓｃｒｉｂｅｒ Ｓｔａｔｉｏｎ)、移動加入者端末(ＭＳＳ：Ｍｏｂｉｌｅ Ｓｕｂｓｃｒｉｂｅｒ Ｓｔａｔｉｏｎ)、移動端末(Ｍｏｂｉｌｅ Ｔｅｒｍｉｎａｌ)、又は発展した移動端末(ＡＭＳ：Ａｄｖａｎｃｅｄ Ｍｏｂｉｌｅ Ｓｔａｔｉｏｎ)などの用語に言い換えることができる。
【００３３】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端とし、基地局を受信端とすることができる。同様に、下りリンクでは移動局を受信端とし、基地局を送信端とすることができる。
【００３４】
本発明の実施例は、無線接続システムであるＩＥＥＥ ８０２．ｘｘシステム、３ＧＰＰ(３ｒｄ Ｇｅｎｅｒａｔｉｏｎ Ｐａｒｔｎｅｒｓｈｉｐ Ｐｒｏｊｅｃｔ)システム、３ＧＰＰ ＬＴＥシステム及び３ＧＰＰ ５Ｇ ＮＲシステム及び３ＧＰＰ２システムのうち少なくとも１つに開示されている標準文書によってサポートすることができ、特に、本発明の実施例は、３ＧＰＰ ＴＳ ３６．２１１、３ＧＰＰ ＴＳ ３６．２１２、３ＧＰＰ ＴＳ ３６．２１３、３ＧＰＰ ＴＳ ３６．３２１、３ＧＰＰ ＴＳ ３６．３３１、３ＧＰＰ ＴＳ ３８．２１１、３ＧＰＰ ＴＳ ３８．２１２、３ＧＰＰ ＴＳ ３８．２１３、３ＧＰＰ ＴＳ ３８．３２１及び３ＧＰＰ ＴＳ ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００３５】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３６】
また、本発明の実施例で使われる特定用語は本発明の理解易さのために提供されるものであり、このような特定用語の使用は本発明の技術的思想を逸脱しない範囲で他の形態に変更されてもよい。
【００３７】
例えば、送信機会区間(ＴｘＯＰ：Ｔｒａｎｓｍｉｓｓｉｏｎ Ｏｐｐｏｒｔｕｎｉｔｙ Ｐｅｒｉｏｄ)という用語は、送信区間、送信バースト(Ｔｘ ｂｕｒｓｔ)又はＲＲＰ(Ｒｅｓｅｒｖｅｄ Ｒｅｓｏｕｒｃｅ Ｐｅｒｉｏｄ)という用語と同じ意味で使うことができる。また、ＬＢＴ(Ｌｉｓｔｅｎ Ｂｅｆｏｒｅ Ｔａｌｋ)過程は、チャネル状態が遊休であるか否かを判断するためのキャリアセンシング過程、ＣＣＡ(Ｃｌｅａｒ Ｃｈａｎｎｅｌ Ａｃｃｅｓｓｍｅｎｔ)、チャネル接続過程(ＣＡＰ：Ｃｈａｎｎｅｌ Ａｃｃｅｓｓ Ｐｒｏｃｅｄｕｒｅ)と同じ目的で行うことができる。
【００３８】
以下、本発明の実施例を利用可能な無線接続システムの一例として３ＧＰＰ ＬＴＥ／ＬＴＥ−Ａシステムについて説明する。
【００３９】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような様々な無線接続システムに適用することができる。
【００４０】
ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)やＣＤＭＡ２０００のような無線技術(ｒａｄｉｏ ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現することができる。ＯＦＤＭＡは、ＩＥＥＥ ８０２．１１(Ｗｉ−Ｆｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などのような無線技術によって具現することができる。
【００４１】
ＵＴＲＡはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ ＬＴＥ(Ｌｏｎｇ Ｔｅｒｍ Ｅｖｏｌｕｔｉｏｎ)はＥ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)システムは３ＧＰＰ ＬＴＥシステムを改良したシステムである。本発明の技術的特徴に関する説明を明確にするために、本発明の実施例は３ＧＰＰ ＬＴＥ／ＬＴＥ−Ａシステムを中心に述べられるが、ＩＥＥＥ ８０２．１６ｅ／ｍシステムなどに適用されてもよい。
【００４２】
１．３ＧＰＰ ＬＴＥ／ＬＴＥ Ａ システム
【００４３】
１．１．物理チャネル及びこれを用いた信号送受信方法
【００４４】
無線接続システムにおいて端末は下りリンク(ＤＬ：Ｄｏｗｎｌｉｎｋ)で基地局から情報を受信し、上りリンク(ＵＬ：Ｕｐｌｉｎｋ)で基地局に情報を送信する。基地局と端末とが送受信する情報は一般データ情報及び種々の制御情報を含み、基地局と端末とが送受信する情報の種類／用途によって様々な物理チャネルが存在する。
【００４５】
図１は、本発明の実施例で使用可能な物理チャネル及びそれらを用いた信号送信方法を説明するための図である。
【００４６】
電源が消えた状態で電源がついたり、新しくセルに進入したりした端末は、Ｓ１１段階で、基地局と同期を取るなどの初期セル探索(Ｉｎｉｔｉａｌ ｃｅｌｌ ｓｅａｒｃｈ)作業を行う。そのために、端末は基地局から主同期チャネル(Ｐ−ＳＣＨ：Ｐｒｉｍａｒｙ Ｓｙｎｃｈｒｏｎｉｚａｔｉｏｎ Ｃｈａｎｎｅｌ)及び副同期チャネル(Ｓ−ＳＣＨ：Ｓｅｃｏｎｄａｒｙ Ｓｙｎｃｈｒｏｎｉｚａｔｉｏｎ Ｃｈａｎｎｅｌ)を受信して基地局と同期を取り、セルＩＤなどの情報を取得する。
【００４７】
その後、端末は基地局から物理放送チャネル(ＰＢＣＨ：Ｐｈｙｓｉｃａｌ Ｂｒｏａｄｃａｓｔ  Ｃｈａｎｎｅｌ)信号を受信してセル内放送情報を取得することができる。
【００４８】
一方、端末は初期セル探索段階で下りリンク参照信号(ＤＬ ＲＳ：Ｄｏｗｎｌｉｎｋ Ｒｅｆｅｒｅｎｃｅ Ｓｉｇｎａｌ)を受信して下りリンクチャネル状態を確認することができる。
【００４９】
初期セル探索を終えた端末は、Ｓ１２段階で、物理下りリンク制御チャネル(ＰＤＣＣＨ：Ｐｈｙｓｉｃａｌ Ｄｏｗｎｌｉｎｋ Ｃｏｎｔｒｏｌ Ｃｈａｎｎｅｌ)、及び物理下りリンク制御チャネル情報に対応する物理下りリンク共有チャネル(ＰＤＳＣＨ：Ｐｈｙｓｉｃａｌ Ｄｏｗｎｌｉｎｋ Ｃｏｎｔｒｏｌ Ｃｈａｎｎｅｌ)を受信して、より具体的なシステム情報を取得することができる。
【００５０】
その後、端末は基地局への接続を完了するために、段階Ｓ１３〜段階Ｓ１６のようなランダムアクセス過程(Ｒａｎｄｏｍ Ａｃｃｅｓｓ Ｐｒｏｃｅｄｕｒｅ)を行うことができる。そのために、端末は物理ランダムアクセスチャネル(ＰＲＡＣＨ：Ｐｈｙｓｉｃａｌ Ｒａｎｄｏｍ Ａｃｃｅｓｓ Ｃｈａｎｎｅｌ)でプリアンブル(ｐｒｅａｍｂｌｅ)を送信し(Ｓ１３)、物理下りリンク制御チャネル及びそれに対応する物理下りリンク共有チャネルでプリアンブルに対する応答メッセージを受信することができる(Ｓ１４)。競合ベースのランダムアクセスでは、端末は、更なる物理ランダムアクセスチャネル信号の送信(Ｓ１５)、及び物理下りリンク制御チャネル信号及びそれに対応する物理下りリンク共有チャネル信号の受信(Ｓ１６)のような衝突解決手順(Ｃｏｎｔｅｎｔｉｏｎ Ｒｅｓｏｌｕｔｉｏｎ Ｐｒｏｃｅｄｕｒｅ)を行うことができる。
【００５１】
上述したような手順を行った端末は、その後、一般的な上りリンク／下りリンク信号送信手順として、物理下りリンク制御チャネル信号及び／又は物理下りリンク共有チャネル信号の受信(Ｓ１７)、及び物理上りリンク共有チャネル(ＰＵＳＣＨ：Ｐｈｙｓｉｃａｌ Ｕｐｌｉｎｋ Ｓｈａｒｅｄ Ｃｈａｎｎｅｌ)信号及び／又は物理上りリンク制御チャネル(ＰＵＣＣＨ：Ｐｈｙｓｉｃａｌ Ｕｐｌｉｎｋ Ｃｏｎｔｒｏｌ Ｃｈａｎｎｅｌ)信号の送信(Ｓ１８)を行うことができる。
【００５２】
端末が基地局に送信する制御情報を総称して上りリンク制御情報(ＵＣＩ：Ｕｐｌｉｎｋ Ｃｏｎｔｒｏｌ Ｉｎｆｏｒｍａｔｉｏｎ)という。ＵＣＩは、ＨＡＲＱ−ＡＣＫ／ＮＡＣＫ(Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ Ｒｅｑｕｅｓｔ)、ＣＱＩ(Ｃｈａｎｎｅｌ Ｑｕａｌｉｔｙ Ｉｎｄｉｃａｔｉｏｎ)、ＰＭＩ(Ｐｒｅｃｏｄｉｎｇ Ｍａｔｒｉｘ Ｉｎｄｉｃａｔｉｏｎ)、ＲＩ(Ｒａｎｋ Ｉｎｄｉｃａｔｉｏｎ)情報などを含む。
【００５３】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５４】
１．２．リソースの構造
【００５５】
図２は、本発明の実施例で用いられる無線フレームの構造を示す図である。
【００５６】
図２(ａ)にはタイプ１フレーム構造(ｆｒａｍｅ ｓｔｒｕｃｔｕｒｅ ｔｙｐｅ１)を示す。タイプ１フレーム構造は、全二重(ｆｕｌｌ ｄｕｐｌｅｘ)ＦＤＤ(Ｆｒｅｑｕｅｎｃｙ Ｄｉｖｉｓｉｏｎ Ｄｕｐｌｅｘ)システムにも半二重(ｈａｌｆ ｄｕｐｌｅｘ)ＦＤＤシステムにも適用可能である。
【００５７】
１無線フレーム(ｒａｄｉｏ ｆｒａｍｅ)はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム(ｒａｄｉｏ ｆｒａｍｅ)は１０個のサブフレーム(ｓｕｂｆｒａｍｅ)で構成される。１サブフレームを送信するためにかかる時間をＴＴＩ(ｔｒａｎｓｍｉｓｓｉｏｎ ｔｉｍｅ ｉｎｔｅｒｖａｌ)という。ここで、Ｔｓはサンプリング時間を表し、Ｔｓ＝１／(１５ｋＨｚ×２０４８)＝３．２５５２×１０−８(約３３ｎｓ)と表示される。スロットは時間領域において複数のＯＦＤＭシンボル又はＳＣ−ＦＤＭＡシンボルを含み、周波数領域において複数のリソースブロック(Ｒｅｓｏｕｒｃｅ Ｂｌｏｃｋ)を含む。
【００５８】
１スロットは時間領域において複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含む。３ＧＰＰ ＬＴＥは下りリンクにおいてＯＦＤＭＡを用いるので、ＯＦＤＭシンボルは１シンボル区間(ｓｙｍｂｏｌ ｐｅｒｉｏｄ)を表現するためのものである。ＯＦＤＭシンボルは１つのＳＣ−ＦＤＭＡシンボル又はシンボル区間ということができる。リソースブロック(ｒｅｓｏｕｒｃｅ ｂｌｏｃｋ)はリソース割り当て単位であり、１つのスロットで複数の連続した副搬送波(ｓｕｂｃａｒｒｉｅｒ)を含む。
【００５９】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６０】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６１】
図２(ｂ)にはタイプ２フレーム構造(ｆｒａｍｅ ｓｔｒｕｃｔｕｒｅ ｔｙｐｅ２)を示す。タイプ２フレーム構造はＴＤＤシステムに適用される。１無線フレーム(ｒａｄｉｏ ｆｒａｍｅ)はＴｆ＝３０７２００＊Ｔｓ＝１０ｍｓの長さを有し、１５３６００＊Ｔｓ＝５ｍｓの長さを有する２個のハーフフレーム(ｈａｌｆ−ｆｒａｍｅ)で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／(１５ｋＨｚ×２０４８)＝３．２５５２×１０−８(約３３ｎｓ)と表示される。
【００６２】
タイプ２フレームにはＤｗＰＴＳ(Ｄｏｗｎｌｉｎｋ Ｐｉｌｏｔ Ｔｉｍｅ Ｓｌｏｔ)、保護区間(ＧＰ：Ｇｕａｒｄ Ｐｅｒｉｏｄ)、ＵｐＰＴＳ(Ｕｐｌｉｎｋ Ｐｉｌｏｔ Ｔｉｍｅ Ｓｌｏｔ)の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間に下りリンク信号の多重経路遅延によって上りリンクにおいて干渉を除去するための区間である。
【００６３】
次の表１は、特別フレームの構成(ＤｗＰＴＳ／ＧＰ／ＵｐＰＴＳの長さ)を表す。
【００６４】
【表１】
2019537879.tif 000003
【００６５】
図３は、本発明の実施例で利用可能な下りリンクスロットに対するリソースグリッド(ｒｅｓｏｕｒｃｅ ｇｒｉｄ)を例示する図である。
【００６６】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６７】
リソースグリッド上で各要素をリソース要素といい、１つのリソースブロックは１２×７個のリソース要素を含む。下りリンクスロットに含まれるリソースブロックの数ＮＤＬは、下りリンク送信帯域幅(ｂａｎｄｗｉｄｔｈ)に従属する。上りリンクスロットの構造は下りリンクスロットの構造と同一であってよい。
【００６８】
図４には、本発明の実施例で利用可能な上りリンクサブフレームの構造を示す。
【００６９】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界(ｓｌｏｔ ｂｏｕｎｄａｒｙ)で周波数跳躍(ｆｒｅｑｕｅｎｃｙ ｈｏｐｐｉｎｇ)する、という。
【００７０】
図５は、本発明の実施例で利用可能な下りリンクサブフレームの構造を示す図である。
【００７１】
図５を参照すると、サブフレームにおける一番目のスロットにおいてＯＦＤＭシンボルインデックス０から最大で３個までのＯＦＤＭシンボルが、制御チャネルが割り当てられる制御領域(ｃｏｎｔｒｏｌ ｒｅｇｉｏｎ)であり、残りのＯＦＤＭシンボルは、ＰＤＳＣＨが割り当てられるデータ領域(ｄａｔａ ｒｅｇｉｏｎ)である。３ＧＰＰ ＬＴＥで用いられる下りリンク制御チャネルの例に、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ、ＰＨＩＣＨ(Ｐｈｙｓｉｃａｌ Ｈｙｂｒｉｄ−ＡＲＱ  Ｉｎｄｉｃａｔｏｒ Ｃｈａｎｎｅｌ)などがある。
【００７２】
ＰＣＦＩＣＨはサブフレームの一番目のＯＦＤＭシンボルで送信され、サブフレームにおいて制御チャネルの送信のために用いられるＯＦＤＭシンボルの数(すなわち、制御領域のサイズ)に関する情報を搬送する。ＰＨＩＣＨは、上りリンクに対する応答チャネルであり、ＨＡＲＱ(Ｈｙｂｒｉｄ Ａｕｔｏｍａｔｉｃ Ｒｅｐｅａｔ Ｒｅｑｕｅｓｔ)に対するＡＣＫ(Ａｃｋｎｏｗｌｅｄｇｅｍｅｎｔ)／ＮＡＣＫ(Ｎｅｇａｔｉｖｅ−Ａｃｋｎｏｗｌｅｄｇｅｍｅｎｔ)信号を搬送する。ＰＤＣＣＨで送信される制御情報を下りリンク制御情報(ＤＣＩ：ｄｏｗｎｌｉｎｋ ｃｏｎｔｒｏｌ ｉｎｆｏｒｍａｔｉｏｎ)という。下りリンク制御情報は、上りリンクリソース割り当て情報、下りリンクリソース割り当て情報、又は任意の端末グループに対する上りリンク送信(Ｔｘ)電力制御命令を含む。
【００７３】
１．３．ＣＳＩフィードバック
【００７４】
３ＧＰＰ ＬＴＥ又はＬＴＥ−Ａシステムでは、ユーザ機器(ＵＥ)がチャネル状態情報(ＣＳＩ)を基地局(ＢＳ又はｅＮＢ)に報告するように定義されている。ここで、チャネル状態情報(ＣＳＩ)は、ＵＥとアンテナポートとの間に形成される無線チャネル(又は、リンク)の品質を示す情報を総称する。
【００７５】
例えば、チャネル状態情報(ＣＳＩ)は、ランク指示子(ｒａｎｋ ｉｎｄｉｃａｔｏｒ，ＲＩ)、プリコーディング行列指示子(ｐｒｅｃｏｄｉｎｇ ｍａｔｒｉｘ ｉｎｄｉｃａｔｏｒ，ＰＭＩ)、チャネル品質指示子(ｃｈａｎｎｅｌ ｑｕａｌｉｔｙ ｉｎｄｉｃａｔｏｒ，ＣＱＩ)などを含む。
【００７６】
ここで、ＲＩは当該チャネルのランク(ｒａｎｋ)情報を示し、これはＵＥが同一の時間−周波数リソースを介して受信するストリーム数を意味する。この値は、チャネルの長期フェーディング(Ｌｏｎｇ Ｔｅｒｍ Ｆａｄｉｎｇ)により従属されて決定される。次いで、 通常、ＲＩはＰＭＩ、ＣＱＩより長い周期でＵＥによってＢＳにフィードバックされる。
【００７７】
ＰＭＩはチャネル空間特性を反映した値であって、ＳＩＮＲなどのメートル(ｍｅｔｒｉｃ)を基準としてＵＥが選好するプリコーディングインデックスを示す。
【００７８】
ＣＱＩはチャネルの強度を示す値であって、通常、ＢＳがＰＭＩを用いた時に得られる受信ＳＩＮＲを意味する。
【００７９】
３ＧＰＰ ＬＴＥ又はＬＴＥ−Ａシステムにおいて、基地局は複数のＣＳＩプロセスをＵＥに設定し、ＵＥから各プロセスに対するＣＳＩの報告を受ける。ここで、ＣＳＩプロセスは、基地局からの信号品質の特定のためのＣＳＩ−ＲＳと干渉測定のためのＣＳＩ干渉測定(ＣＳＩ−ｉｎｔｅｒｆｅｒｅｎｃｅ ｍｅａｓｕｒｅｍｅｎｔ，ＣＳＩ−ＩＭ)リソースで構成される。
【００８０】
１．４．ＲＲＭ測定
【００８１】
ＬＴＥシステムでは、電力制御(Ｐｏｗｅｒ ｃｏｎｔｒｏｌ)、スケジューリング(Ｓｃｈｅｄｕｌｉｎｇ)、セル検索(Ｃｅｌｌ ｓｅａｒｃｈ)、セル再選択(Ｃｅｌｌ ｒｅｓｅｌｅｃｔｉｏｎ)、ハンドオーバー(Ｈａｎｄｏｖｅｒ)、ラジオリンク又は連結モニタリング(Ｒａｄｉｏ ｌｉｎｋ ｏｒ Ｃｏｎｎｅｃｔｉｏｎ ｍｏｎｉｔｏｒｉｎｇ)、連結確立／再確立(Ｃｏｎｎｅｃｔｉｏｎ ｅｓｔａｂｌｉｓｈ／ｒｅ−ｅｓｔａｂｌｉｓｈ)などを含むＲＲＭ(Ｒａｄｉｏ Ｒｅｓｏｕｒｃｅ Ｍａｎａｇｅｍｅｎｔ)動作を支援する。この時、サービングセルは端末にＲＲＭ動作を行うための測定値であるＲＲＭ測定(ｍｅａｓｕｒｅｍｅｎｔ)情報を要請することができる。代表的な情報として、ＬＴＥシステムにおいて端末は各セルに対するセル検索(Ｃｅｌｌ ｓｅａｒｃｈ)情報、ＲＳＲＰ(ｒｅｆｅｒｅｎｃｅ ｓｉｇｎａｌ ｒｅｃｅｉｖｅｄ ｐｏｗｅｒ)、ＲＳＲＱ(ｒｅｆｅｒｅｎｃｅ ｓｉｇｎａｌ ｒｅｃｅｉｖｅｄ ｑｕａｌｉｔｙ)などの情報を測定して報告することができる。具体的には、ＬＴＥシステムにおいて端末はサービングセルからＲＲＭ測定のための上位層信号として「ｍｅａｓＣｏｎｆｉｇ」が伝達され、端末はこの「ｍｅａｓＣｏｎｆｉｇ」の情報に従ってＲＳＲＰ又はＲＳＲＱを測定する。
【００８２】
ここで、ＬＴＥシステムにおいて定義するＲＳＲＰ、ＲＳＲＱ、ＲＳＳＩは、以下のように定義される。
【００８３】
先ず、ＲＳＲＰは考慮される測定周波数帯域内のセル−特定の参照信号を送信するリソース要素の電力分布(ｐｏｗｅｒ ｃｏｎｔｒｉｂｕｔｉｏｎ、［Ｗ］単位)の線形平均で定義される。(Ｒｅｆｅｒｅｎｃｅ ｓｉｇｎａｌ ｒｅｃｅｉｖｅｄ ｐｏｗｅｒ (ＲＳＲＰ), ｉｓ ｄｅｆｉｎｅｄ ａｓ ｔｈｅ ｌｉｎｅａｒ ａｖｅｒａｇｅ  ｏｖｅｒ ｔｈｅ ｐｏｗｅｒ ｃｏｎｔｒｉｂｕｔｉｏｎｓ (ｉｎ [Ｗ]) ｏｆ ｔｈｅ ｒｅｓｏｕｒｃｅ ｅｌｅｍｅｎｔｓ ｔｈａｔ ｃａｒｒｙ ｃｅｌｌ−ｓｐｅｃｉｆｉｃ ｒｅｆｅｒｅｎｃｅ ｓｉｇｎａｌｓ ｗｉｔｈｉｎ ｔｈｅ ｃｏｎｓｉｄｅｒｅｄ ｍｅａｓｕｒｅｍｅｎｔ ｆｒｅｑｕｅｎｃｙ ｂａｎｄｗｉｄｔｈ．)一例として、ＲＳＲＰ決定のためにセル−特定の参照信号Ｒ０が活用できる。(Ｆｏｒ ＲＳＲＰ ｄｅｔｅｒｍｉｎａｔｉｏｎ ｔｈｅ ｃｅｌｌ−ｓｐｅｃｉｆｉｃ ｒｅｆｅｒｅｎｃｅ ｓｉｇｎａｌｓ Ｒ０ ｓｈａｌｌ ｂｅ ｕｓｅｄ．)仮に、ＵＥがセル−特定の参照信号Ｒ１が利用可能であると検出する場合、ＵＥはＲ１をさらに用いてＲＳＲＰを決定する。(Ｉｆ ｔｈｅ ＵＥ ｃａｎ ｒｅｌｉａｂｌｙ ｄｅｔｅｃｔ ｔｈａｔ Ｒ１ ｉｓ ａｖａｉｌａｂｌｅ ｉｔ ｍａｙ ｕｓｅ Ｒ１ ｉｎ ａｄｄｉｔｉｏｎ ｔｏ Ｒ０ ｔｏ ｄｅｔｅｒｍｉｎｅ ＲＳＲＰ．)
【００８４】
ＲＳＲＰのための参照ポイントは、ＵＥのアンテナコネクターとなり得る。(Ｔｈｅ ｒｅｆｅｒｅｎｃｅ ｐｏｉｎｔ ｆｏｒ ｔｈｅ ＲＳＲＰ ｓｈａｌｌ ｂｅ ｔｈｅ ａｎｔｅｎｎａ ｃｏｎｎｅｃｔｏｒ ｏｆ ｔｈｅ ＵＥ．)
【００８５】
仮に、ＵＥが受信器ダイバーシティを用いる場合、報告される値は個別のダイバーシティブランチに対応するＲＳＲＰより小さくてはならない。(Ｉｆ ｒｅｃｅｉｖｅｒ ｄｉｖｅｒｓｉｔｙ ｉｓ ｉｎ ｕｓｅ ｂｙ ｔｈｅ ＵＥ, ｔｈｅ ｒｅｐｏｒｔｅｄ ｖａｌｕｅ ｓｈａｌｌ ｎｏｔ ｂｅ ｌｏｗｅｒ ｔｈａｎ ｔｈｅ ｃｏｒｒｅｓｐｏｎｄｉｎｇ ＲＳＲＰ ｏｆ ａｎｙ ｏｆ ｔｈｅ ｉｎｄｉｖｉｄｕａｌ ｄｉｖｅｒｓｉｔｙ ｂｒａｎｃｈｅｓ．)
【００８６】
次いで、ＮがＥ−ＵＴＲＡ搬送波ＲＳＳＩ測定帯域幅のＲＢの数であるとき、ＲＳＲＱはＥ−ＵＴＲＡ搬送波ＲＳＳＩに対するＲＳＲＰの比率として、Ｎ＊ＲＳＲＰ／(Ｅ−ＵＴＲＡ ｃａｒｒｉｅｒ ＲＳＳＩ)と定義される。(Ｒｅｆｅｒｅｎｃｅ Ｓｉｇｎａｌ Ｒｅｃｅｉｖｅｄ Ｑｕａｌｉｔｙ (ＲＳＲＱ) ｉｓ ｄｅｆｉｎｅｄ ａｓ ｔｈｅ ｒａｔｉｏ ＮかけるＲＳＲＰ／(Ｅ−ＵＴＲＡ ｃａｒｒｉｅｒ ＲＳＳＩ), ｗｈｅｒｅ Ｎ ｉｓ ｔｈｅ ｎｕｍｂｅｒ ｏｆ ＲＢ’ｓ ｏｆ ｔｈｅ Ｅ−ＵＴＲＡ ｃａｒｒｉｅｒ ＲＳＳｉ ｍｅａｓｕｒｅｍｅｎｔ ｂａｎｄｗｉｄｔｈ．)この測定値の分母及び分子は、リソースブロックの同一のセットによって決定される。(Ｔｈｅ ｍｅａｓｕｒｅｍｅｎｔｓ ｉｎ ｔｈｅ ｎｕｍｅｒａｔｏｒ ａｎｄ ｄｅｎｏｍｉｎａｔｏｒ ｓｈａｌｌ ｂｅ ｍａｄｅ ｏｖｅｒ ｔｈｅ ｓａｍｅ ｓｅｔ ｏｆ ｒｅｓｏｕｒｃｅ ｂｌｏｃｋｓ．)
【００８７】
Ｅ−ＵＴＲＡ搬送波ＲＳＳＩは共同−チャネル(ｃｏ−ｃｈａｎｎｅｌ)サービング及び非−サービングセル、隣接チャネルの干渉、熱雑音などを含む全てのソースからの受信信号に対して、Ｎ個のリソースブロックにわたって、測定帯域幅でアンテナポート０に対する参照シンボルを含むＯＦＤＭシンボルのみで端末によって測定された受信全電力(［Ｗ］単位)の線形平均を含む。(Ｅ−ＵＴＲＡ Ｃａｒｒｉｅｒ Ｒｅｃｅｉｖｅｄ Ｓｉｇｎａｌ Ｓｔｒｅｎｇｔｈ Ｉｎｄｉｃａｔｏｒ (ＲＳＳＩ), ｃｏｍｐｒｉｓｅｓ ｔｈｅ ｌｉｎｅａｒ ａｖｅｒａｇｅ ｏｆ ｔｈｅ ｔｏｔａｌ ｒｅｃｅｉｖｅｄ ｐｏｗｅｒ (ｉｎ [Ｗ]) ｏｂｓｅｒｖｅｄ ｏｎｌｙ ｉｎ ＯＦＤＭ ｓｙｍｂｏｌｓ ｃｏｎｔａｉｎｉｎｇ ｒｅｆｅｒｅｎｃｅ ｓｙｍｂｏｌｓ ｆｏｒ ａｎｔｅｎｎａ ｐｏｒｔ ０, ｉｎ ｔｈｅ ｍｅａｓｕｒｅｍｅｎｔ ｂａｎｄｗｉｄｔｈ, ｏｖｅｒ Ｎ ｎｕｍｂｅｒ ｏｆ ｒｅｓｏｕｒｃｅ ｂｌｏｃｋｓ ｂｙ ｔｈｅ ＵＥ ｆｒｏｍ ａｌｌ ｓｏｕｒｃｅｓ, ｉｎｃｌｕｄｉｎｇ ｃｏ−ｃｈａｎｎｅｌ ＳＥＲＶＩＮＧ ａｎｄ ｎｏｎ−ＳＥＲＶＩＮＧ ｃｅｌｌｓ, ａｄｊａｃｅｎｔ ｃｈａｎｎｅｌ ｉｎｔｅｒｆｅｒｅｎｃｅ, ｔｈｅｒｍａｌ ｎｏｉｓｅ ｅｔｃ．)仮に、上位層シグナリングがＲＳＲＱ測定のためにあるサブフレームを指示した場合、指示されたサブフレームにおける全てのＯＦＤＭシンボルに対してＲＳＳＩが測定される。(Ｉｆ ｈｉｇｈｅｒ−ｌａｙｅｒ ｓｉｇｎａｌｌｉｎｇ ｉｎｄｉｃａｔｅｓ ｃｅｒｔａｉｎ ｓｕｂｆｒａｍｅｓ ｆｏｒ ｐｅｒｆｏｒｍｉｎｇ ＲＳＲＱ ｍｅａｓｕｒｅｍｅｎｔｓ, ｔｈｅｎ ＲＳＳＩ ｉｓ ｍｅａｓｕｒｅｄ ｏｖｅｒ ａｌｌ ＯＦＤＭ ｓｙｍｂｏｌｓ ｉｎ ｔｈｅ ｉｎｄｉｃａｔｅｄ ｓｕｂｆｒａｍｅｓ．)
【００８８】
ＲＳＲＱのための参照ポイントは、ＵＥのアンテナコネクターになり得る。(Ｔｈｅ ｒｅｆｅｒｅｎｃｅ ｐｏｉｎｔ ｆｏｒ ｔｈｅ ＲＳＲＱ ｓｈａｌｌ ｂｅ ｔｈｅ ａｎｔｅｎｎａ ｃｏｎｎｅｃｔｏｒ ｏｆ ｔｈｅ ＵＥ．)
【００８９】
仮に、ＵＥが受信機ダイバーシティを用いる場合、報告される値は個別のダイバーシティブランチに対応するＲＳＲＱより小さくてはならない。(Ｉｆ ｒｅｃｅｉｖｅｒ ｄｉｖｅｒｓｉｔｙ ｉｓ ｉｎ ｕｓｅ ｂｙ ｔｈｅ ＵＥ, ｔｈｅ ｒｅｐｏｒｔｅｄ ｖａｌｕｅ ｓｈａｌｌ ｎｏｔ ｂｅ ｌｏｗｅｒ ｔｈａｎ ｔｈｅ ｃｏｒｒｅｓｐｏｎｄｉｎｇ ＲＳＲＱ ｏｆ ａｎｙ ｏｆ ｔｈｅ ｉｎｄｉｖｉｄｕａｌ ｄｉｖｅｒｓｉｔｙ ｂｒａｎｃｈｅｓ．)
【００９０】
次いで、ＲＳＳＩは受信器パルス状のフィルターによって定義された帯域幅内の熱雑音及び受信器から生成された雑音を含む受信された広帯域電力で定義される。(Ｒｅｃｅｉｖｅｄ Ｓｉｇｎａｌ Ｓｔｒｅｎｇｔｈ Ｉｎｄｉｃａｔｏｒ (ＲＳＳＩ) ｉｓ ｄｅｆｉｎｅｄ ａｓ ｔｈｅ ｒｅｃｅｉｖｅｄ ｗｉｄｅ ｂａｎｄ ｐｏｗｅｒ, ｉｎｃｌｕｄｉｎｇ ｔｈｅｒｍａｌ ｎｏｉｓｅ ａｎｄ ｎｏｉｓｅ ｇｅｎｅｒａｔｅｄ ｉｎ ｔｈｅ ｒｅｃｅｉｖｅｒ, ｗｉｔｈｉｎ ｔｈｅ ｂａｎｄｗｉｄｔｈ ｄｅｆｉｎｅｄ ｂｙ ｔｈｅ ｒｅｃｅｉｖｅｒ ｐｕｌｓｅ ｓｈａｐｉｎｇ ｆｉｌｔｅｒ．)
【００９１】
測定のための参照ポイントは、ＵＥのアンテナコネクターになり得る。(Ｔｈｅ ｒｅｆｅｒｅｎｃｅ ｐｏｉｎｔ ｆｏｒ ｔｈｅ ｍｅａｓｕｒｅｍｅｎｔ ｓｈａｌｌ ｂｅ ｔｈｅ ａｎｔｅｎｎａ ｃｏｎｎｅｃｔｏｒ ｏｆ ｔｈｅ ＵＥ．)
【００９２】
仮に、ＵＥが受信器ダイバーシティを用いる場合、報告される値は個別のダイバーシティブランチに対応するＵＴＲＡ搬送波ＲＳＳＩより小さくてはならない。(Ｉｆ ｒｅｃｅｉｖｅｒ ｄｉｖｅｒｓｉｔｙ ｉｓ ｉｎ ｕｓｅ ｂｙ ｔｈｅ ＵＥ, ｔｈｅ ｒｅｐｏｒｔｅｄ ｖａｌｕｅ ｓｈａｌｌ ｎｏｔ ｂｅ ｌｏｗｅｒ ｔｈａｎ ｔｈｅ ｃｏｒｒｅｓｐｏｎｄｉｎｇ ＵＴＲＡ ｃａｒｒｉｅｒ ＲＳＳＩ ｏｆ ａｎｙ ｏｆ ｔｈｅ ｉｎｄｉｖｉｄｕａｌ ｒｅｃｅｉｖｅ ａｎｔｅｎｎａ ｂｒａｎｃｈｅｓ．)
【００９３】
上記の定義に従って、ＬＴＥシステムにおいて動作する端末は、周波数間の測定(Ｉｎｔｒａ−ｆｒｅｑｕｅｎｃｙ ｍｅａｓｕｒｅｍｅｎｔ)の場合、ＳＩＢ３(ｓｙｓｔｅｍ ｉｎｆｏｒｍａｔｉｏｎ ｂｌｏｃｋ ｔｙｐｅ ３)から送信される許容された測定帯域幅(Ａｌｌｏｗｅｄ ｍｅａｓｕｒｅｍｅｎｔ ｂａｎｄｗｉｄｔｈ)関連のＩＥ(ｉｎｆｏｒｍａｔｉｏｎ ｅｌｅｍｅｎｔ)を介して指示される帯域幅でＲＳＲＰを測定することができる。また、周波数内の測定(Ｉｎｔｅｒ−ｆｒｅｑｕｅｎｃｙ ｍｅａｓｕｒｅｍｅｎｔ)である場合、端末はＳＩＢ５から送信される許容された測定帯域幅を介して指示された６、１５、２５、５０、７５、１００ＲＢ(ｒｅｓｏｕｒｃｅ ｂｌｏｃｋ)のうち１つに対応する帯域幅でＲＳＲＰを測定することができる。また、上述したようなＩＥがない場合、端末はデフォルト動作として全体ＤＬ(ｄｏｗｎｌｉｎｋ)システムの周波数帯域でＲＳＲＰを測定することができる。
【００９４】
この時、端末が許容された測定帯域幅に対する情報を受信する場合、端末は当該値を最大の測定帯域幅(ｍａｘｉｍｕｍ ｍｅａｓｕｒｅｍｅｎｔ ｂａｎｄｗｉｄｔｈ)として当該値においてＲＳＲＰの値を自由に測定することができる。但し、サービングセルがＷＢ−ＲＳＲＱと定義されるＩＥを端末に送信して、許容された測定帯域幅を５０ＲＢ以上に設定する場合、端末は許容された測定帯域幅に対するＲＳＲＰ値を全て算出する必要がある。一方、端末はＲＳＳＩを測定するとき、ＲＳＳＩ帯域幅の定義に従って端末の受信機が有する周波数帯域を用いてＲＳＳＩを測定する。
【００９５】
２．新しい無線接続技術(Ｎｅｗ Ｒａｄｉｏ Ａｃｃｅｓｓ Ｔｅｃｈｎｏｌｏｇｙ)システム
【００９６】
多数の通信機器がより大きな通信容量を要求することにより、既存の無線接続技術(ｒａｄｉｏ ａｃｃｅｓｓ ｔｅｃｈｎｏｌｏｇｙ、ＲＡＴ)に比べて向上した端末広帯域(Ｍｏｂｉｌｅ Ｂｒｏａｄｂａｎｄ)通信の必要性が高まっている。また多数の機器及び物事を連結していつでもどこでも多様なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)も必要となっている。さらに信頼性及び遅延などに敏感なサービス／ＵＥを考慮した通信システムのデザインが提示されている。
【００９７】
このように向上した端末広帯域通信(Ｅｎｈａｎｃｅｄ ｍｏｂｉｌｅ ｂｒｏａｄｂａｎｄ ｃｏｍｍｕｎｉｃａｔｉｏｎ)、大規模ＭＴＣ、ＵＲＬＬＣ(Ｕｌｔｒａ−Ｒｅｌｉａｌｂｅ ａｎｄ Ｌｏｗ Ｌａｔｅｎｃｙ Ｃｏｍｍｕｎｉｃａｔｉｏｎ)などを考慮した新しい無線接続技術であって、新しい無線接続技術システムが提案されている。以下、本発明では便宜上、該当技術をＮｅｗ ＲＡＴ又はＮＲ(Ｎｅｗ Ｒａｄｉｏ)と称する。
【００９８】
２．１．ニューマロロジー(Ｎｕｍｅｒｉｏｌｏｇｉｅｓ)
【００９９】
本発明が適用可能なＮＲシステムにおいては、以下の表のような様々なＯＦＤＭニューマロロジーが支援されている。この時、搬送波帯域幅部分(ｃａｒｒｉｅｒ ｂａｎｄｗｉｄｔｈ ｐａｒｔ)ごとのμ及び循環前置(ｃｙｃｌｉｃ ｐｒｅｆｉｘ)情報は、下りリンク(ＤＬ)又は上りリンク(ＵＬ)ごとに各々シグナリングされる。一例として、下りリンク搬送波帯域幅部分(ｄｏｗｎｌｉｎｋ ｃａｒｒｉｅｒ ｂａｎｄｗｉｄｔｈ ｐａｒｔ)のためのμ及び循環前置(ｃｙｃｌｉｃ ｐｒｅｆｉｘ)情報は、上位階層シグナリングＤＬ−ＢＷＰ−ｍｕ及びＤＬ−ＭＷＰ−ｃｐを通じてシグナリングされる。他の例として、上りリンク搬送波帯域幅部分(ｕｐｌｉｎｋ ｃａｒｒｉｅｒ ｂａｎｄｗｉｄｔｈ ｐａｒｔ)のためのμ及び循環前置(ｃｙｃｌｉｃ ｐｒｅｆｉｘ)情報は、上位階層シグナリングＵＬ−ＢＷＰ−ｍｕ及びＵＬ−ＭＷＰ−ｃｐを通じてシグナリングされる。
【０１００】
【表２】
2019537879.tif 000004
【０１０１】
２．２．フレーム構造
【０１０２】
下りリンク及び上りリンクの伝送は１０ｍｓ長さのフレームで構成される。フレームは１ｍｓ長さの１０つのサブフレームで構成される。この時、各々のサブフレームごとに連続するＯＦＤＭのシンボルの数は
2019537879.tif 000005
である。
【０１０３】
各々のフレームは２つの同じサイズのハーフフレーム(ｈａｌｆ−ｆｒａｍｅ)で構成される。この時、各々のハーフフレームはサブフレーム０−４及びサブフレーム５−９で構成される。
【０１０４】
副搬送波間隔(ｓｕｂｃａｒｒｉｅｒ ｓｐａｃｉｎｇ)μに対して、スロットは１つのサブフレーム内において昇順に
2019537879.tif 000006
のようにナンバリングされ、１つのフレーム内において昇順に
2019537879.tif 000007
のようにナンバリングされる。この時、１つのスロット内に連続するＯＦＤＭのシンボルの数(
2019537879.tif 000008
)は、循環前置によって以下の表のように決定される。１つのサブフレーム内の開始スロット(
2019537879.tif 000009
)は、同じサブフレーム内の開始ＯＦＤＭのシンボル(
2019537879.tif 000010
)と時間の次元で整列されている(ａｌｉｇｎｅｄ)。以下の表３は一般循環前置(ｎｏｒｍａｌ ｃｙｃｌｉｃ ｐｒｅｆｉｘ)のためのスロットごと／フレームごと／サブフレームごとのＯＦＤＭのシンボルの数を示し、表４は拡張された循環前置(ｅｘｔｅｎｄｅｄ ｃｙｃｌｉｃ ｐｒｅｆｉｘ)のためのスロットごと／フレームごと／サブフレームごとのＯＦＤＭのシンボルの数を示す。
【０１０５】
【表３】
2019537879.tif 000011
【０１０６】
【表４】
2019537879.tif 000012
【０１０７】
本発明が適用可能なＮＲシステムにおいては、上記のようなスロット構造であって、セルフスロット構造(Ｓｅｌｆ−Ｃｏｎｔａｉｎｅｄ ｓｕｂｆｒａｍｅ ｓｔｒｕｃｔｕｒｅ)が適用されている。
【０１０８】
図６は本発明に適用可能なセルフサブフレーム構造(Ｓｅｌｆ−Ｃｏｎｔａｉｎｅｄ ｓｕｂｆｒａｍｅ ｓｔｒｕｃｔｕｒｅ)を示す図である。
【０１０９】
図６において、斜線領域(例えば、ｓｙｍｂｏｌ ｉｎｄｅｘ＝０)は下りリンク制御(ｄｏｗｎｌｉｎｋ ｃｏｎｔｒｏｌ)領域を示し、黒色領域(例えば、ｓｙｍｂｏｌ ｉｎｄｅｘ＝１３)は上りリンク制御(ｕｐｌｉｎｋ ｃｏｎｔｒｏｌ)領域を示す。その他の領域(例えば、ｓｙｍｂｏｌ ｉｎｄｅｘ＝１〜１２)は下りリンクデータ伝送又は上りリンクデータ伝送のために使用される。
【０１１０】
このような構造により基地局及びＵＥは１つのスロット内でＤＬ伝送とＵＬ伝送を順次に行うことができ、１つのスロット内でＤＬデータを送受信し、これに対するＵＬ ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【０１１１】
このようなセルフスロット構造においては、基地局とＵＥが送信モードから受信モードに、又は受信モードから送信モードに転換するために一定の時間長さのタイムギャップ(ｔｉｍｅ  ｇａｐ)が必要である。このために、セルフスロット構造においてＤＬからＵＬに転換される時点の一部ＯＦＤＭシンボルは、ガード区間(ｇｕａｒｄ ｐｅｒｉｏｄ、ＧＰ)として設定されることができる。
【０１１２】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１１３】
一例として、スロットは様々なスロットフォーマットを有することができる。この時、各々のスロットのＯＦＤＭシンボルは、下りリンク(‘Ｄ’と表す)、フレキシブル(‘Ｘ’と表す)及び上りリンク(‘Ｕ’と表す)に分類される。
【０１１４】
従って、下りリンクスロットにおいてＵＥは下りリンク伝送が‘Ｄ’及び‘Ｘ’シンボルでのみ発生すると仮定できる。同様に、上りリンクスロットにおいてＵＥは上りリンク伝送が‘Ｕ’及び‘Ｘ’シンボルでのみ発生すると仮定できる。
【０１１５】
２．３．アナログビーム形成(Ａｎａｌｏｇ Ｂｅａｍｆｏｒｍｉｎｇ)
【０１１６】
ミリ波(Ｍｉｌｌｉｍｅｔｅｒ Ｗａｖｅ、ｍｍＷ)では波長が短いので、同一面積に多数のアンテナ要素(ｅｌｅｍｅｎｔ)の設置が可能である。即ち、３０ＧＨｚ帯域において波長は１ｃｍであるので、５＊５ｃｍのパネルに０．５ｌａｍｂｄａ(波長)間隔で２次元(２−ｄｉｍｅｎｓｉｏｎ)配列する場合、総１００個のアンテナ要素を設けることができる。これにより、ミリ波(ｍｍＷ)では多数のアンテナ要素を使用してビーム形成(ｂｅａｍｆｏｒｍｉｎｇ、ＢＦ)利得を上げてカバレッジを増加させるか、或いはスループット(ｔｈｒｏｕｇｈｐｕｔ)を向上させることができる。
【０１１７】
この時、アンテナ要素ごとに伝送パワー及び位相の調節ができるように、各々のアンテナ要素はＴＸＲＵ(ｔｒａｎｓｃｅｉｖｅｒ)を含む。これにより、各々のアンテナ要素は周波数リソースごとに独立的なビーム形成を行うことができる。
【０１１８】
しかし、１００余個の全てのアンテナ要素にＴＸＲＵを設けることは費用面で実効性が乏しい。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビーム形成方式では全帯域において１つのビーム方向のみを形成できるので、周波数選択的なビーム形成が難しいという短所がある。
【０１１９】
これを解決するために、デジタルビーム形成及びアナログビーム形成の中間形態として、Ｑ個のアンテナ要素より少ない数のＢ個のＴＸＲＵを有するハイブリッドビーム形成(ｈｙｂｒｉｄ ＢＦ)が考えられる。この場合、Ｂ個のＴＸＲＵとＱ個のアンテナ要素の連結方式によって差はあるが、同時に伝送可能なビームの方向はＢ個以下に制限される。
【０１２０】
図７及び図８は、ＴＸＲＵとアンテナ要素(ｅｌｅｍｅｎｔ)の代表的な連結方式を示す図である。ここで、ＴＸＲＵ仮想化(ｖｉｒｔｕａｌｉｚａｔｉｏｎ)モデルは、ＴＸＲＵの出力信号とアンテナ要素の出力信号との関係を示す。
【０１２１】
図７はＴＸＲＵがサブアレイ(ｓｕｂ−ａｒｒａｙ)に連結された方式を示している。図７の場合、アンテナ要素は１つのＴＸＲＵのみに連結される。
【０１２２】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１２３】
図７及び図８において、Ｗはアナログ位相シフター(ａｎａｌｏｇ ｐｈａｓｅ ｓｈｉｆｔｅｒ)により乗じられる位相ベクトルを示す。即ち、Ｗはアナログビーム形成の方向を決定する主要パラメータである。ここで、ＣＳＩ−ＲＳアンテナポートと複数のＴＸＲＵとのマッピングは１：１又は１：多である。
【０１２４】
図７の構成によれば、ビーム形成のフォーカシングが難しいという短所があるが、全てのアンテナ構成を低価で構成できるという長所がある。
【０１２５】
図８の構成によれば、ビーム形成のフォーカシングが容易であるという長所がある。但し、全てのアンテナ要素にＴＸＲＵが連結されるので、全体費用が増加するという短所がある。
【０１２６】
本発明が適用可能なＮＲシステムにおいて、複数のアンテナが使用される場合、デジタルビーム形成(Ｄｉｇｉｔａｌ ｂｅａｍｆｏｒｍｉｎｇ)及びアナログビーム形成を結合したハイブリッドビーム形成(ｈｙｂｒｉｄ ｂｅａｍｆｏｒｍｉｎｇ)方式が適用される。この時、アナログビーム形成(又はＲＦ(ｒａｄｉｏ ｆｒｅｑｕｅｎｃｙ)ビーム形成)は、ＲＦ端でプリコーディング(又は組み合わせ(ｃｏｍｂｉｎｉｎｇ))を行う動作を意味する。またハイブリッドビーム形成において、ベースバンド(ｂａｓｅｂａｎｄ)端とＲＦ端は各々プリコーティング(又は組み合わせ)を行う。これによりＲＦチェーンの数とＤ／Ａ(Ｄｉｇｉｔａｌ ｔｏ ａｎａｌｏｇ)(又はＡ／Ｄ(ａｎａｌｏｇ ｔｏ ｄｉｇｉｔａｌ))コンバーターの数を減らしながらデジタルビーム形成に近接する性能を得られるという長所がある。
【０１２７】
説明の便宜上、ハイブリッドビーム形成の構造は、Ｎ個の送受信端(ｔｒａｎｓｃｅｉｖｅｒ ｕｎｉｔ、ＴＸＲＵ)とＭ個の物理的アンテナで表すことができる。この時、送信端から伝送するＬ個のデータ階層(ｄｉｇｉｔａｌ ｌａｙｅｒ)に対するデジタルビーム形成は、Ｎ＊Ｌ(Ｌ ｂｙ Ｌ)行列で表される。その後、変換されたＮ個のデジタル信号はＴＸＲＵを介してアナログ信号に変換され、変換された信号に対してＭ＊Ｎ(Ｍ ｂｙ Ｎ)行列で表されるアナログビーム形成が適用される。
【０１２８】
図９は、本発明の一例によるＴＸＲＵ及び物理的アンテナ観点におけるハイブリッドビーム形成の構造を簡単に示す図である。この時、図９においてデジタルビームの数はＬ個であり、アナログビームの数はＮ個である。
【０１２９】
さらに、本発明が適用可能なＮＲシステムにおいては、基地局がアナログビーム形成をシンボル単位で変更できるように設計して、所定の地域に位置した端末に効率的なビーム形成を支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビーム形成が適用可能な複数のアンテナパネルを導入する方案も考えられる。
【０１３０】
以上のように基地局が複数のアナログビームを活用する場合、端末ごとに信号の受信に有利するアナログビームが異なる。よって本発明が適用可能なＮＲシステムにおいては、基地局が所定のサブフレーム(ＳＦ)内でシンボルごとに異なるアナログビームを適用して(少なくとも同期信号、システム情報、ページング(ｐａｇｉｎｇ)など)信号を伝送することにより、全ての端末が受信機会を得るようにするビーム掃引(ｂｅａｍ ｓｗｅｅｐｉｎｇ)動作が考えられている。
【０１３１】
図１０は本発明の一例による下りリンク(Ｄｏｗｎｌｉｎｋ、ＤＬ)伝送過程において、同期信号(Ｓｙｎｃｈｒｏｎｉｚａｔｉｏｎ ｓｉｇｎａｌ)とシステム情報(Ｓｙｓｔｅｍ ｉｎｆｏｒｍａｔｉｏｎ)に対するビーム掃引(Ｂｅａｍ ｓｗｅｅｐｉｎｇ)動作を簡単に示す図である。
【０１３２】
図１０において、本発明が適用可能なＮＲシステムのシステム情報がブロードキャスティング(Ｂｒｏａｄｃａｓｔｉｎｇ)方式で伝送される物理的リソース(又は物理チャネル)を、ｘＰＢＣＨ(ｐｈｙｓｉｃａｌ ｂｒｏａｄｃａｓｔ ｃｈａｎｎｅｌ)と称する。この時、１つのシンボル内で互いに異なるアンテナパネルに属する複数のアナログビームは同時に伝送可能である。
【０１３３】
また図１０に示したように、本発明が適用可能なＮＲシステムにおいて、アナログビームごとのチャネルを測定するための構成であって、(所定のアンテナパネルに対応する)単一のアナログビームが適用されて伝送される参照信号(Ｒｅｆｅｒｅｎｃｅ ｓｉｇｎａｌ、ＲＳ)であるビーム参照信号(Ｂｅａｍ ＲＳ、ＢＲＳ)の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１３４】
２．４．同期信号ブロック(Ｓｙｎｃｈｒｏｎｉｚａｔｉｏｎ Ｓｉｇｎａｌ Ｂｌｏｃｋ)
【０１３５】
本発明が適用可能なＮＲシステムにおいて、ＰＳＳ(Ｐｒｉｍａｒｙ Ｓｙｎｃｈｒｏｎｉｚａｔｉｏｎ Ｓｉｇｎａｌ)、ＳＳＳ(Ｓｅｃｏｎｄａｒｙ Ｓｙｎｃｈｒｏｎｉｚａｔｉｏｎ Ｓｉｇｎａｌ)及び／又はＰＢＣＨ(Ｐｈｙｓｉｃａｌ Ｂｒｏａｄｃａｓｔ Ｃｈａｎｎｅｌ)は、１つの同期信号ブロック(Ｓｙｎｃｈｒｏｎｉｚａｔｉｏｎ Ｓｉｇｎａｌ Ｂｌｏｃｋ又はＳｙｎｃｈｒｏｎｉｚａｔｉｏｎ Ｓｉｇｎａｌ ＰＢＣＨ Ｂｌｏｃｋ、以下、ＳＳブロック又はＳＳ／ＰＢＣＨブロックという)内で送信される。この時、１つのＳＳブロック内で他の信号を多重化することは排除されないことができる(Ｍｕｌｔｉｐｌｅｘｉｎｇ ｏｔｈｅｒ ｓｉｇｎａｌｓ ａｒｅ ｎｏｔ ｐｒｅｃｌｕｄｅｄ ｗｉｔｈｉｎ ａ ‘ＳＳ ｂｌｏｃｋ’)。
【０１３６】
１つ又は複数のＳＳブロックは１つのＳＳバーストを構成する。この時、１つのＳＳバースト内に含まれたＳＳブロックは連続又は不連続する。また、１つのＳＳバースト内に含まれたＳＳブロックは互いに同一であるか又は同一ではない。
【０１３７】
図１１は本発明に適用可能なＳＳブロックの構造を簡単に示す図である。
【０１３８】
図１１に示したように、ＰＳＳ、ＳＳＳ、ＰＢＣＨは４つのシンボルで送信される。この時、ＰＳＳ及びＳＳＳは同じ周波数帯域内の互いに異なるシンボルで送信される。特に、ＰＳＳはＳＳＳより時間上先行するシンボルで送信されることができる。
【０１３９】
次いで、ＰＢＣＨはＰＳＳ及びＳＳＳが送信される周波数帯域より大きい周波数帯域に送信され、ＰＳＳより時間上後行するシンボルで送信されることができる。
【０１４０】
図１１ではＳＳブロックがＰＳＳ、ＳＳＳ、ＰＢＣＨの順に送信される構成を開始しているが、変形例としてＳＳブロックはＰＳＳ、ＰＢＣＨ、ＳＳＳ、ＰＢＣＨの順に送信されることができる。この時、ＰＢＣＨが送信される周波数帯域は、ＰＳＳ、ＳＳＳが送信される周波数帯域より大きいので、ＳＳＳが送信されるシンボル内においてＳＳＳが送信されない周波数帯域でＰＢＣＨが送信されることもできる。
【０１４１】
１つ又は複数のＳＳバーストは１つのＳＳバーストセットを構成できる。
【０１４２】
図１２は１つのＳＳブロックセット周期内の複数のＳＳバーストが送信される構成を簡単に示す図である。
【０１４３】
図１２に示したように、１つのＳＳブロックセット周期内の複数のＳＳバーストは、地域化タイプ(Ｌｏｃａｌｉｚｅｄ ｔｙｐｅ)又は分散タイプ(Ｄｉｓｔｒｉｂｕｔｅｄ ｔｙｐｅ)で送信されることができる。
【０１４４】
ここで、１つのＳＳブロックセット周期としては{５ｍｓ、１０ｍｓ、２０ｍｓ、４０ｍｓ、８０ｍｓ、１６０ｍｓ}のうちの１つが適用される。この時、初期セル選択(ｉｎｉｔｉａｌ ｃｅｌｌ ｓｅｌｅｃｔｉｏｎ)のための基本(ｄｅｆａｕｌｔ)ＳＳブロックセット周期値としては２０ｍｓが適用される。
【０１４５】
一例として、初期セル選択のために、ＵＥはＳＳブロックが含まれたハーフフレームが２フレーム周期に発生可能であると仮定する。(Ｆｏｒ ｉｎｉｔｉａｌ ｃｅｌｌ ｓｅｌｅｃｔｉｏｎ、ａ ＵＥ ｍａｙ ａｓｓｕｍｅ ｔｈａｔ ｈａｌｆ ｆｒａｍｅｓ ｗｉｔｈ ＳＳ ｂｌｏｃｋｓ ｏｃｃｕｒ ｗｉｔｈ ａ ｐｅｒｉｏｄｉｃｉｔｙ ｏｆ ２ｆｒａｍｅｓ.)
【０１４６】
２.５．同期化手順(Ｓｙｎｃｈｒｏｎｉｚａｔｉｏｎ ｐｒｏｃｅｄｕｒｅ)
【０１４７】
ＵＥはｇＮＢから上記のようなＳＳブロックを受信して同期化することができる。この時、同期化手順は大きくセルＩＤ検出(Ｃｅｌｌ ＩＤ ｄｅｔｅｃｔｉｏｎ)段階及びタイミング検出(ｔｉｍｉｎｇ ｄｅｔｅｃｔｉｏｎ)段階を含む。ここで、セルＩＤ検出段階はＰＳＳに基づくセルＩＤ検出段階とＳＳＳに基づくセルＩＤ検出段階を含む。また、タイミング検出段階は、ＰＢＣＨ ＤＭ−ＲＳ(Ｄｅｍｏｄｕｌａｔｉｏｎ Ｒｅｆｅｒｅｎｃｅ Ｓｉｇｎａｌ)に基づくタイミング検出段階と、ＰＢＣＨコンテンツ(例えば、ＭＩＢ(Ｍａｓｔｅｒ Ｉｎｆｏｒｍａｔｉｏｎ Ｂｌｏｃｋ))に基づくタイミング検出段階を含むことができる。
【０１４８】
まず、ＵＥはＰＳＳとＳＳＳ検出により時間同期及び検出されたセルの物理的セルＩＤ(Ｐｈｙｓｉｃａｌ ｃｅｌｌ ＩＤ)を得ることができる。より具体的には、ＵＥはＰＳＳ検出によりＳＳブロックに対するシンボルタイミングを得、セルＩＤグループ内のセルＩＤを検出することができる。次いで、ＵＥはＳＳＳ検出によりセルＩＤグループを検出する。
【０１４９】
また、ＵＥはＰＢＣＨのＤＭ−ＲＳによりＳＳブロックの時間インデックス(例えば、スロット境界)を検出することができる。次いで、ＵＥはＰＢＣＨに含まれたＭＩＢによりハーフフレーム境界情報及びＳＦＮ(Ｓｙｓｔｅｍ Ｆｒａｍｅ Ｎｕｍｂｅｒ)情報などを得ることができる。
【０１５０】
３．提案する実施例
【０１５１】
本発明では上記のような技術構成に基づいて、ＵＥが受信された１つ以上のＳＳブロックのインデックスを区分し、それに基づいて決定されたスロット境界(及び／又はサブフレーム境界、フレーム境界など)に基づいて端末と基地局の間の信号を送受信する方法について詳しく説明する。
【０１５２】
３.１．ＳＳ／ＰＢＣＨブロックのインデックス方法
【０１５３】
ここでは、１つのＳＳバーストセット区間内の複数のＳＳ／ＰＢＣＨブロック(例えば、ハーフフレームごとのＳＳ／ＰＢＣＨブロック)を区分する方法について説明する。この時、複数のＳＳ／ＰＢＣＨブロックは互いに異なる(又は互いに独立した)ビーム方向に送信されることができる。この時、ビームの数は特定の帯域のためのＳＳ／ＰＢＣＨ区間内の最大ＳＳ／ＰＢＣＨビームの数(ｔｈｅ ｍａｘｉｍｕｍ ｎｕｍｂｅｒ ｏｆ ＳＳ／ＰＢＣＨ Ｂｅａｍｓ ｉｎ ａｎ ＳＳ／ＰＢＣＨ ｐｅｒｉｏｄ ｆｏｒ ａ ｐａｒｔｉｃｕｌａｒ ｂａｎｄ)より小さいか又は等しい。
【０１５４】
以下、複数のＳＳ／ＰＢＣＨブロックを区分するために、各ＳＳ／ＰＢＣＨブロックに対するインデックスを付与する方法について詳しく説明する。本発明において、各ＳＳ／ＰＢＣＨブロックに対するインデックスは、ＳＳ／ＰＢＣＨインデックス又はＳＳ／ＰＢＣＨブロックインデックスなどに表現される。即ち、本発明では２つの表現がいずれもＳＳ／ＰＢＣＨブロックに対するインデックスを意味する。
【０１５５】
まず、ＳＳ／ＰＢＣＨブロックのインデックスは以下の２つの方法のうちの１つにより指定される。
【０１５６】
(１)Ｓｉｎｇｌｅインデックス方式：１つのＳＳバーストセット内の全てのＳＳ／ＰＢＣＨブロックについてインデックスを付与(例えば、Ｏｎｅ ｔｉｍｅ ｉｎｄｅｘ ｆｏｒ ｅｖｅｒｙ ＳＳ／ＰＢＣＨ ｂｌｏｃｋ ｗｉｔｈｉｎ ａｎ ＳＳ−ｂｕｒｓｔ ｓｅｔ)
【０１５７】
(２)Ｄｕａｌインデックス方式：２つのインデックス(例えば、ＳＳバーストインデックス、ＳＳブロックインデックス)を用いて１つのＳＳバーストセット内のＳＳバーストごとにインデックスを付与し、１つのＳＳバーストごとにＳＳブロックについてインデックスを付与(例えば、Ｏｎｅ ｔｉｍｅ ｉｎｄｅｘ ｔｈａｔ ｉｓ ｓｐｅｃｉｆｉｃ ｔｏ ｅａｃｈ ＳＳ−ｂｌｏｃｋ ｗｉｔｈｉｎ ａｎ ＳＳ−ｂｕｒｓｔ、ａｎｄ ａｎ ＳＳ ｂｕｒｓｔ ｉｎｄｅｘ ｔｈａｔ ｉｓ ｓｐｅｃｉｆｉｃ ｔｏ ｅａｃｈ ＳＳ ｂｕｒｓｔ ｗｉｔｈｉｎ ａｎ ＳＳ−ｂｕｒｓｔ ｓｅｔ. ＳＳ ｂｕｒｓｔ ｉｎｄｅｘ ｉｓ ｃｏｍｍｏｎ ａｃｒｏｓｓ ＳＳ ｂｌｏｃｋｓ ｉｎ ｅａｃｈ ＳＳ−ｂｕｒｓｔ)
【０１５８】
３.１.１．第１のＳＳ／ＰＢＣＨブロックのインデックス方法
【０１５９】
ここでは、基地局が各ＳＳ／ＰＢＣＨブロックについて異なるＰＢＣＨのＤＭ−ＲＳシーケンスを用いて(適用して)送信することによりＵＥがＳＳ／ＰＢＣＨブロックを区分(具体的には、ＳＳ／ＰＢＣＨブロックのインデックスを感知)する方法について説明する。一例として、１つのＳＳバーストセット区間の間にＫ個のＳＳブロックが送信される場合、基地局は各ＳＳブロックごとに異なるＰＢＣＨのＤＭ−ＲＳシーケンスを付与することができる。ここで、ＰＢＣＨのＤＭ−ＲＳはＰＢＣＨの復調(ｄｅｍｏｄｕｌａｔｉｏｎ)のために使用されるＲＳを意味し、実施例によっては、上記の例とは異なるように呼ばれることもできる。
【０１６０】
ＵＥは初期同期過程においてＰＳＳとＳＳＳの検出により時間同期及び検出されたセルの物理的セルＩＤを得る。
【０１６１】
また、ＵＥは検出されたＳＳ／ＰＢＣＨブロックがＳＳバーストセットの送信区間において何番目のＳＳ／ＰＢＣＨブロックであるか又はＳＳバーストセットの送信区間のうち何番目のフレームの何番目のスロットの何番目のＯＦＤＭシンボルで送信されるＳＳ／ＰＢＣＨブロックであるかをＰＢＣＨのＤＭ−ＲＳシーケンスから把握することができる。このために、ＵＥはＳＳバーストセットの送信区間で各ＳＳ／ＰＢＣＨブロックごとに使用されるＰＢＣＨ ＤＭ−ＲＳについて既に知っているか、又は特定のＰＢＣＨ ＤＭ−ＲＳがどのＯＦＤＭシンボル時点に送信されるＳＳ／ＰＢＣＨブロックに使用されるＰＢＣＨ ＤＭ−ＲＳであるかについて既に知っていることができる。
【０１６２】
このために、ＵＥは検出されたセルについてＳＳ／ＰＢＣＨブロックのＰＢＣＨ ＤＭ−ＲＳシーケンスとして使用可能なＫ個のＤＭ−ＲＳシーケンスを受信された信号とマッチング(ｍａｔｃｈｉｎｇ ｏｒ ｃｏｒｒｅｌａｔｉｏｎ)して、その結果値から送信された(又は受信された)ＤＭ−ＲＳシーケンスを確認することができる。これにより、ＵＥは受信されたＳＳ／ＰＢＣＨブロックが何番目のＳＳ／ＰＢＣＨブロックであるかについての情報及び／又はフレームの境界に関する情報を把握することができる。
【０１６３】
より具体的には、ＳＳ／ＰＢＣＨブロックのインデックスをＰＢＣＨのＤＭ−ＲＳで区分する具体的な方法としては、以下の方法を適用できる。以下の説明において、ＰＢＣＨ ＤＭ−ＲＳの発生シーケンスとしてＰＮ(Ｐｓｅｕｄｏ Ｎｏｉｓｅ)シーケンス又はゴールドシーケンス(Ｇｏｌｄ ｓｅｑｕｅｎｃｅ)が使用されると仮定する。
【０１６４】
(１)ｏｐｔｉｏｎ１−１
【０１６５】
基地局はＰＢＣＨ ＤＭ−ＲＳの発生シーケンスとしてＰＮシーケンス又はゴールドシーケンスを使用できる。この時、ＰＮ又はゴールドシーケンスの生成器(Ｇｏｌｄ ｓｅｑｕｅｎｃｅ ｇｅｎｅｒａｔｏｒ)はＯＦＤＭシンボル単位で初期化され、初期値としてはセルＩＤ及びＯＦＤＭシンボルインデックスが使用される。又は、初期値としてはセルＩＤ、ＯＦＤＭシンボルインデックス及びスロットインデックスを使用できる。
【０１６６】
(２)ｏｐｔｉｏｎ１−２
【０１６７】
基地局はＰＢＣＨ ＤＭ−ＲＳの発生シーケンスとしてＰＮシーケンス又はゴールドシーケンスを使用できる。この時、ＰＮ又はゴールドシーケンスの生成器はスロット単位で初期化され、初期値としてはセルＩＤ及びスロットインデックスを使用できる。
【０１６８】
(３)ｏｐｔｉｏｎ１−３
【０１６９】
基地局はＰＢＣＨ ＤＭ−ＲＳの発生シーケンスとしてＰＮシーケンス又はゴールドシーケンスを使用できる。この時、ＰＮ又はゴールドシーケンスの生成器はＳＳ／ＰＢＣＨブロック単位で初期化され、初期値としてはセルＩＤ及びＳＳ／ＰＢＣＨブロックインデックスを使用できる。
【０１７０】
(４)ｏｐｔｉｏｎ１−４
【０１７１】
ＳＳ／ＰＢＣＨブロックインデックスとして上述したＤｕａｌインデックス方式が使用される場合、基地局はＰＢＣＨ ＤＭ−ＲＳの発生シーケンスとしてＰＮシーケンス又はゴールドシーケンスを使用できる。この時、ＰＮ又はゴールドシーケンスの生成器はＳＳ／ＰＢＣＨブロック単位で初期化され、初期値としてはセルＩＤ及びＳＳブロックインデックスを使用できる。さらに、ＳＳバーストインデックスはＰＢＣＨにより伝達される情報のうちの１つとしてＵＥに伝達されることができる。ここで、ＳＳバーストは多数のＳＳ／ＰＢＣＨブロックをグルーピングした単位を意味する。この時、ＳＳブロックインデックス及びＳＳバーストインデックスは各々、本発明によるＳＳ／ＰＢＣＨインデックスを示す６ビット情報のうち、１,２,３番目のビット情報及び４,５,６番目のビット情報を意味する。
【０１７２】
この方法において、ＵＥはＤＭ−ＲＳシーケンスを受信された信号とマッチング(ｍａｔｃｈｉｎｇ ｏｒ ｃｏｒｒｅｌａｔｉｏｎ)する過程により、ＳＳブロックインデックスを確認することができる。また、ＵＥはＰＢＣＨをデコーディングして得た情報からＳＳバーストインデックスを確認することができる。ここで、ＵＥは同一のＳＳバースト内のＳＳブロック間のＰＢＣＨ情報は同一であると仮定して、ＰＢＣＨについて結合デコーディングを行うことができる。
【０１７３】
(５)ｏｐｔｉｏｎ１−５
【０１７４】
上述した(４)の変形例として、ＵＥはＤＭ−ＲＳシーケンスを受信された信号とマッチングする過程によりＳＳブロックインデックスとＳＳバーストインデックスの一部を確認することができる。次いで、ＵＥはＰＢＣＨをデコーディングして得た情報から最終ＳＳバーストインデックスを確認できる。
【０１７５】
一例として、ＳＳバーストインデックスが偶数である場合と奇数である場合に、ＳＳブロックインデックスは同一であってもＰＢＣＨ ＤＭ−ＲＳシーケンスは異なるように使用できる。
【０１７６】
説明の便宜上、ラジオフレームは１０ｍｓeｃであり、ＳＳバーストセット周期は２０ｍｓeｃであり、ＳＳバーストが５ｍｓｅｃ間隔で４つが送信されたと仮定する。この時、基地局はＤＭ−ＲＳシーケンスをスロットインデックスを使用して発生させることができる。
【０１７７】
この場合、ＳＳバーストセット周期の間に１番目のＳＳバーストと２番目のＳＳバーストが送信されるスロットインデックスが異なる反面、１番目のＳＳバーストと３番目のＳＳバーストは送信されるスロットインデックスは同一であるものの、サブフレームインデックスが異なることができる。この時、ＵＥが１番目のＳＳバースト、２番目のＳＳバースト、３番目のＳＳバースト(特に、１番目のＳＳバーストと３番目のＳＳバースト)を夫々区分するための方法として、ＵＥはＰＢＣＨを介して検出されたＳＳバーストが偶数番目のサブフレームに送信されたか、又は奇数番目のサブフレームに送信されたかを把握することができる。
【０１７８】
３.１.２．第２のＳＳ／ＰＢＣＨブロックのインデックス方法
【０１７９】
基地局は各ＳＳ／ＰＢＣＨブロックに使用されるＳＳＳ又は追加ＳＳＳ(以下、ａｄｄｉｔｉｏｎａｌ ＳＳＳ)のシーケンスを異なるように使用して(又は適用して)送信することにより、各ＳＳ／ＰＢＣＨブロックを区分することができる。ここで、ａｄｄｉｔｉｏｎａｌ ＳＳＳはセルＩＤ検出のためにＳＳＳに追加して時間情報を検出するために送信されるＳＳＳを意味する。
【０１８０】
本発明において、ａｄｄｉｔｉｏｎａｌ ＳＳＳは３番目のＳＳなどのように異なるように呼ばれることができる。
【０１８１】
上述したように、ＵＥは初期同期過程でＰＳＳとＳＳＳ検出により時間同期及び検出されたセルの物理的セルＩＤを得ることができる。次いで、ＵＥは該当セルで送信可能なＳＳＳ又はａｄｄｉｔｉｏｎａｌ ＳＳＳのシーケンス候補と受信された信号をマッチングして、マッチング結果値を用いてＳＳ／ＰＢＣＨブロックインデックス及びＳＳ／ＰＢＣＨブロックセット周期の境界を検出することができる。
【０１８２】
ここで、ＳＳ／ＰＢＣＨブロックのインデックスをＳＳＳ又はａｄｄｉｔｉｏｎａｌ ＳＳＳのシーケンスにより区分する具体的な方法として、以下の方法を適用できる。
【０１８３】
(１)ｏｐｔｉｏｎ２−１
【０１８４】
ＳＳ／ＰＢＣＨブロックのインデックスとしてｓｉｎｇｌｅインデックス方式が使用される場合、基地局はＳＳ／ＰＢＣＨブロックごとに各々異なるＳＳＳ又はａｄｄｉｔｉｏｎａｌ ＳＳＳのシーケンスを送信できる。
【０１８５】
(２)ｏｐｔｉｏｎ２−２
【０１８６】
上述した(１)の方法と結合する方法として、ＳＳ／ＰＢＣＨブロックインデックスとしてＤｕａｌ インデックス方式が使用される場合、基地局はＳＳバーストのＳＳブロックごとにＰＢＣＨのＤＭ−ＲＳシーケンスを異なるように割り当てることができる。これにより、ＵＥは各ＳＳブロックインデックスを区分できる。次いで、基地局はＳＳバーストごとにＳＳＳ又はａｄｄｉｔｉｏｎａｌ ＳＳＳのシーケンスを異なるように割り当てることができる。これにより、ＵＥは各ＳＳバーストインデックスを区分できる。
【０１８７】
(３)ｏｐｔｉｏｎ２−３
【０１８８】
上述した(１)の方法と結合する方法として、ＳＳブロックインデックスとしてＤｕａｌインデックス方式が使用される場合、基地局はＳＳバーストのＳＳブロックごとにＳＳＳ又はａｄｄｉｔｉｏｎａｌ ＳＳＳのシーケンスを異なるように割り当てることができる。これにより、ＵＥは各ＳＳブロックインデックスを区分できる。次いで、基地局はＳＳバーストごとにＰＢＣＨのＤＭ−ＲＳシーケンスを異なるように割り当てることができる。これにより、ＵＥは各ＳＳバーストインデックスを区分できる。
【０１８９】
(４)ｏｐｔｉｏｎ２−４
【０１９０】
ブロックインデックスとしてＤｕａｌインデックス方式が使用される場合、
【０１９１】
基地局はＳＳバーストのＳＳブロックごとにＳＳＳ又はａｄｄｉｔｉｏｎａｌ ＳＳＳのシーケンスを異なるように割り当てることができる。これにより、ＵＥは各ＳＳブロックインデックスを区分できる。次いで、基地局はＳＳバーストインデックスをＰＢＣＨを介してＵＥに送信できる。ここで、ＵＥは同一のＳＳバースト内のＳＳブロック間のＰＢＣＨ情報は同一であると仮定して、ＰＢＣＨについて結合デコーディングを行うことができる。
【０１９２】
３.２．ＰＢＣＨ ＴＴＩ境界を区分する方法
【０１９３】
ここでは、ＵＥがＰＢＣＨ ＴＴＩ(Ｓｕｐｅｒ ｓｕｂｆｒａｍｅ)境界を探す方法(又はＰＢＣＨ ＴＴＩ境界に関する情報を得る方法)について詳しく説明する。
【０１９４】
以下、ＳＳバーストセット周期はＰｓ(代表的には５ｍｓ)、またＰＢＣＨ ＴＴＩはＰｂ(代表的には４０ｍｓ又は８０ｍｓ)と表示する。またＮＲフレームの長さ(ｆｒａｍｅ ｄｕｒａｔｉｏｎ)はＰｆ(代表的には１０ｍｓ)と表示する。
【０１９５】
３.２.１．ＳＳＳを用いてＰＢＣＨ ＴＴＩ境界を区分する方法
【０１９６】
基地局はＰＢＣＨ ＴＴＩの間に同じビームに該当するＳＳ／ＰＢＣＨブロックを(Ｐｂ／Ｐｓ)回送信できる。即ち、１つのＳＳ／ＰＢＣＨブロックに１つのＳＳＳが含まれる場合、ＰＢＣＨ ＴＴＩ区間の間に同じビームに該当するＳＳＳはＮ(Ｎ＝Ｐｂ／Ｐｓ)回送信される。
【０１９７】
以下の説明において、ＰＢＣＨ ＴＴＩ区間でｉ番目に送信されるＳＳ／ＰＢＣＨブロックのＳＳＳをＳＳＳ(ｉ)とすると、ここでは、基地局が異なるＳＳＳ(ｉ)(ｉ＝１，…,Ｎ)を用いてＵＥをしてＰＢＣＨ ＴＴＩ境界を区分するようにする方法について説明する。より具体的には、基地局はＰＢＣＨ ＴＴＩ区間の間にＮ回送信されるＳＳＳを以下のように割り当てることによりＵＥをしてＰＢＣＨ ＴＴＩ境界を区分することができる。
【０１９８】
(１)ＳＳＳ(ｉ)(ｉ＝１，…,Ｎ)の発生シーケンスを全部異なるように割り当てる方法
【０１９９】
この場合、セル当たりＮ個のＳＳＳシーケンスが必要である。物理的セルＩＤが全体Ｌ個である場合、基地局及びＵＥは全体Ｌ＊Ｎ個のＳＳＳシーケンスによりセルＩＤとＰＢＣＨ ＴＴＩ境界を区分できる。即ち、ＵＥは初期同期獲得過程で検出されたＳＳＳシーケンスのＩＤを用いてセルＩＤとＰＢＣＨ ＴＴＩ境界を決定できる。
【０２００】
(２)ＰＢＣＨ ＴＴＩ区間の間にＮ回送信されるＳＳＳのうちの一部を異なるように割り当てる方法
【０２０１】
基地局はセル当たり２個のＳＳＳシーケンスを付与して、ＳＳＳ(１)の場合とそれ以外のＳＳＳ(ｉ)(ｉ＝２，…,Ｎ)の発生シーケンスを異なるようにして、ＵＥをしてＰＢＣＨ ＴＴＩ境界を区分するようにすることができる。物理的セルＩＤが全体Ｌ個である場合、基地局及びＵＥは全体２＊Ｌ個のＳＳＳシーケンスによりセルＩＤとＰＢＣＨ ＴＴＩ境界を区分できる。即ち、ＵＥはＳＳＳ(１)が検出されたＳＳ／ＰＢＣＨブロックがＰＢＣＨ ＴＴＩの１番目のＳＳ／ＰＢＣＨブロックであるので、これによりＰＢＣＨ ＴＴＩ境界を決定することができる。
【０２０２】
この方式はＰＢＣＨ ＴＴＩ区間の間にｉ−番目に送信されるＳＳ／ＰＢＣＨブロック内のＳＳＳ(ｉ)のＳＳＳシーケンスと他のＳＳ／ＰＢＣＨブロック内のＳＳＳ(ｊ)(ｊ≠ｉ)のＳＳＳシーケンスを異なるようにすることにより、ＵＥをしてＰＢＣＨ ＴＴＩ境界を決定するようにする方式に変形できる。
【０２０３】
(３)ＰＢＣＨ ＴＴＩ区間の間にＮ回送信されるＳＳＳをＷ個のシーケンスの組み合わせでパターンを割り当てる方法
【０２０４】
基地局はセル当たりＷ個のＳＳＳシーケンスを付与し、Ｗ個のシーケンスで組み合わせられた長さＮのパターンによりＵＥがＰＢＣＨ ＴＴＩ境界を区分するようにすることができる。代表的には、基地局はＰＢＣＨ ＴＴＩ区間の間に８回送信されるＳＳＳを３つのシーケンス(例えば、Ｓ１、Ｓ２、Ｓ３)で構成された長さ８のパターン(例えば、Ｓ１、Ｓ１、Ｓ１、Ｓ２、Ｓ２、Ｓ２、Ｓ３、Ｓ３)を用いてＳＳ／ＰＢＣＨブロックごとにＳＳＳシーケンスを割り当てることができる。これに対応して、ＵＥは受信信号とＳ１、Ｓ２、Ｓ３をマッチングさせた結果値を用いてＰＢＣＨ ＴＴＩ境界を確認することができる。
【０２０５】
３.２.２．ＰＢＣＨ ＤＭ−ＲＳシーケンスを用いてＰＢＣＨ ＴＴＩ境界を区分する方法
【０２０６】
(１)Ａｌｔ２−１
【０２０７】
基地局はＰＢＣＨ ＴＴＩ区間の間に同じビームでＮ回送信されるＳＳ／ＰＢＣＨブロック内のＰＢＣＨ ＤＭ−ＲＳの発生シーケンスを各ＳＳ／ＰＢＣＨブロックごとに異なるように適用して送信できる。この時、ＰＢＣＨ ＤＭ−ＲＳの発生シーケンスとしてはＰＮ又はゴールドシーケンスを適用でき、ＰＮ又はゴールドシーケンスの生成器はＳＳ／ＰＢＣＨブロック単位に初期化できる。ここで、初期値としてはセルＩＤ及び時間インデックスを使用できる。
【０２０８】
この時、時間インデックスは以下の具体的な方式により定義できる。
【０２０９】
１)Ａｌｔ２−１−１
【０２１０】
時間インデックスとしてはＯＦＤＭシンボルインデックス、スロットインデックス、サブフレームインデックス、及びシステムフレーム番号(ｓｙｓｔｅｍ ｆｒａｍｅ ｎｕｍｂｅｒ、ＳＦＮ)の一部値を適用することができる。一例として、ＰＢＣＨ ＴＴＩ区間がフレームの倍数である場合、時間インデックスとしてはＳＦＮのＬＳＢ(ｌｅａｓｔ ｓｉｇｎｉｆｉｃａｎｔ ｂｉｔ)の一部を使用できる。
【０２１１】
２)Ａｌｔ２−１−２
【０２１２】
時間インデックスとしてはＳＳ／ＰＢＣＨブロックのインデックス値を適用できる。この時、ＳＳ／ＰＢＣＨブロックのインデックスは、ＰＢＣＨ ＴＴＩ区間において何番目のＳＳ／ＰＢＣＨブロックに該当するかによって番号付けられるように設定される。
【０２１３】
(２)Ａ２−２
【０２１４】
基地局はＰＢＣＨ ＴＴＩの間に使用されるＰＢＣＨ ＤＭ−ＲＳを全体的に発生して、これを各ＳＳ／ＰＢＣＨブロックごとに分けて使用することができる。即ち、ＰＢＣＨ ＴＴＩ区間の間に同じビームでＮ回のＳＳ／ＰＢＣＨブロックが送信され、ＳＳ／ＰＢＣＨブロックごとに長さＸのＤＭ−ＲＳシーケンスが使用される場合、基地局はＰＢＣＨ ＴＴＩの開始時点に長さＮ＊ＸのＤＭ−ＲＳシーケンスを発生し、これをＮ等分して使用することができる。
【０２１５】
かかるＤＭ−ＲＳ発生方法において、基地局はＤＭ−ＲＳシーケンスとしてＰＮ又はゴールドシーケンスを使用でき、ＰＮ又はゴールドシーケンスの生成器はＰＢＣＨ ＴＴＩ単位で初期化できる。この時、初期値としてはセルＩＤのみが使用されるように設定することができる。
【０２１６】
３.２.３．ＰＢＣＨ ＲＶ(Ｒｅｄｕｎｄａｎｃｙ Ｖｅｒｓｉｏｎ)を用いてＰＢＣＨ ＴＴＩ境界を区分する方法
【０２１７】
基地局はＰＢＣＨ ＴＴＩ区間の間に同じビームでＮ回送信されるＳＳ／ＰＢＣＨブロック内のＰＢＣＨのチャネルコーディング出力のｃｏｄｅｄ ｂｉｔを異なるようにして送信できる。即ち、ＰＢＣＨ ＴＴＩ区間の間にＮ回のＳＳ／ＰＢＣＨブロックが送信され、ＳＳ／ＰＢＣＨブロックごとに長さＹのＰＢＣＨのｃｏｄｅｄ ｂｉｔが送信される場合、基地局はＰＢＣＨ ＴＴＩの開始時点に長さＮ＊ＹのＰＢＣＨの符号化ビットシーケンス(ｃｏｄｅｄ ｂｉｔ ｓｅｑｕｅｎｃｅ)を発生し、これをＮ等分して各ＳＳ／ＰＢＣＨブロックごとに分けて送信することができる。この時、長さＮ＊ＹのＰＢＣＨの符号化ビットシーケンス(ｃｏｄｅｄ ｂｉｔ ｓｅｑｕｅｎｃｅ)は長さＮ＊ＹのＰＢＣＨスクランブルのシーケンスにスクランブルされて送信されることができる。
【０２１８】
３.２.４．ＳＳＳとＰＢＣＨ ＤＭ−ＲＳシーケンスを用いてＰＢＣＨ ＴＴＩ境界を区分する方法
【０２１９】
基地局は境界に関する一部の情報はＳＳＳのシーケンスによりＵＥに提供し、残りの情報はＰＢＣＨ ＤＭ−ＲＳのシーケンスによりＵＥに提供することができる。
【０２２０】
一例として、基地局はＳＳＳについてセルごとに２つのシーケンスを付与し、これらを交互に使用してＵＥをしてＳＳバーストセット周期の２倍に該当する２＊Ｐｓの境界を区分可能にすることができる。また、基地局はＳＳ／ＰＢＣＨブロックごとにＰＢＣＨ ＤＭ−ＲＳのシーケンスを異なるようにすることによりＵＥをしてＰｂ(＝Ｎ＊Ｐｓ)の境界を区分するようにすることができる。
【０２２１】
よって、基地局はＰＢＣＨ ＴＴＩ区間の間に同じビームでＮ回送信されるＳＳ／ＰＢＣＨブロックごとにＰＢＣＨ ＤＭ−ＲＳのシーケンスを全て異なるようにしてＵＥをして区分できるようにするか、又は全体Ｐｂ時間を２＊Ｐｓ区間に分けて各区間に使用されるＰＢＣＨ ＤＭ−ＲＳのシーケンスを異なるようにしてＵＥをして区分できるようにすることができる。
【０２２２】
又は、基地局はＳＳＳについてセルごとに４つのシーケンスを付与し、これらを交互に使用してＵＥをしてＳＳバーストセット周期の４倍に該当する４＊Ｐｓの境界を区分するようにすることができる。また、基地局はＳＳ／ＰＢＣＨブロックごとにＰＢＣＨ ＤＭ−ＲＳのシーケンスを異なるようにすることによりＵＥをしてＰｂ(＝Ｎ＊Ｐｓ)の境界を区分するようにすることができる。
【０２２３】
よって、基地局はＰＢＣＨ ＴＴＩ区間の間に同じビームでＮ回送信されるＳＳ／ＰＢＣＨブロックごとにＰＢＣＨ ＤＭ−ＲＳのシーケンスを全て異なるようにしてＵＥをして区分できるようにするか、又は全体Ｐｂ時間を２＊Ｐｓ又は４＊Ｐｓ区間に分けて(Ｎ／２)又は(Ｎ／４)の各区間に使用されるＰＢＣＨ ＤＭ−ＲＳのシーケンスを異なるようにしてＵＥをして区分するようにすることができる。
【０２２４】
３.２.５.ＳＳＳとＰＢＣＨ ＲＶを用いてＰＢＣＨ ＴＴＩ境界を区分する方法
【０２２５】
基地局は境界に関する一部の情報をＳＳＳのシーケンスによりＵＥに提供し、残りの情報はＰＢＣＨ ＲＶによりＵＥに提供することができる。
【０２２６】
一例として、基地局はＳＳＳについてセルごとに２つのシーケンスを付与し、これらを交互に使用してＵＥをしてＳＳバーストセット周期の２倍に該当する２＊Ｐｓの境界を区分するようにすることができる。また、基地局は各区間(全体Ｐｂ時間をＰｓ又は２＊Ｐｓに分けた区間)のＳＳ／ＰＢＣＨブロックのＰＢＣＨ ＲＶを異なるようにすることによりＵＥをしてＰｂ(＝Ｎ＊Ｐｓ)の境界を区分するようにすることができる。
【０２２７】
又は基地局はＳＳＳについてセルごとに４つのシーケンスを付与し、これらを交互に使用してＳＳバーストセット周期の４倍に該当する４＊Ｐｓの境界をＵＥをして区分するようにすることができる。また、基地局は各区間(全体Ｐｂ時間をＰｓ、２＊Ｐｓ又は４＊Ｐｓに分けた区間)のＳＳ／ＰＢＣＨブロックのＰＢＣＨ ＲＶを異なるようにすることにより、ＵＥをしてＰｂ(＝Ｎ＊Ｐｓ)の境界を区分するようにすることができる。
【０２２８】
３.２.６.ＰＢＣＨ ＤＭ−ＲＳシーケンスとＰＢＣＨ ＲＶを用いてＰＢＣＨ ＴＴＩ境界を区分する方法
【０２２９】
基地局は境界に関する一部の情報をＰＢＣＨ ＤＭ−ＲＳシーケンスによりＵＥに提供し、残りの情報はＰＢＣＨ ＲＶによりＵＥに提供することができる。
【０２３０】
一例として、基地局はＰＢＣＨ ＤＭ−ＲＳシーケンスとしてセルごとに２つのシーケンスを付与し、これらを交互に使用してＵＥをしてＳＳバーストセット周期の２倍に該当する２＊Ｐｓの境界を区分するようにすることができる。また、基地局は各区間(全体Ｐｂ時間をＰｓ又は２＊Ｐｓに分けた区間)のＳＳ／ＰＢＣＨブロックのＰＢＣＨ ＲＶを異なるようにすることにより、ＵＥをしてＰｂ(＝Ｎ＊Ｐｓ)の境界を区分するようにすることができる。
【０２３１】
又は基地局はＰＢＣＨ ＤＭ−ＲＳシーケンスとしてセルごとに４つのシーケンスを付与し、これらを交互に使用してＵＥをしてＳＳバーストセット周期の４倍に該当する４＊Ｐｓの境界を区分するようにすることができる。また、基地局は各区間(全体Ｐｂ時間をＰｓ、２＊Ｐｓ又は４＊Ｐｓに分けた区間)のＳＳ／ＰＢＣＨブロックのＰＢＣＨ ＲＶを異なるようにすることにより、ＵＥをしてＰｂ(＝Ｎ＊Ｐｓ)の境界を区分するようにすることができる。
【０２３２】
３.２.７．ＳＳＳ、ＰＢＣＨ ＤＭ−ＲＳシーケンス及びＰＢＣＨ ＲＶを用いてＰＢＣＨ ＴＴＩ境界を区分する方法
【０２３３】
基地局は境界に関する一部の情報はＳＳＳのシーケンスによりＵＥに提供し、残りの一部の情報はＰＢＣＨ ＤＭ−ＲＳシーケンスによりＵＥに提供し、残りの情報はＰＢＣＨ ＲＶによりＵＥに提供することができる。
【０２３４】
一例として、基地局はＳＳＳについてセルごとに２つのシーケンスを付与し、これらを交互に使用してＵＥをしてＳＳバーストセット周期の２倍に該当する２＊Ｐｓの境界を区分できるようにすることができる。また基地局はＰＢＣＨ ＤＭ−ＲＳシーケンスによりセルごとに４つのシーケンスを付与し、これらを交互に使用することによりＵＥをしてＳＳバーストセット周期の４倍に該当する４＊Ｐｓの境界を区分するようにすることができる。また基地局は各区間(全体Ｐｂ時間をＰｓ、２＊Ｐｓ又は４＊Ｐｓに分けた区間)のＰＢＣＨ ＲＶを異なるようにすることにより、ＵＥをしてＰｂ(＝Ｎ＊Ｐｓ)の境界を区分するようにすることができる。
【０２３５】
３.３．ＳＳバーストセット周期によるＰＢＣＨ ＴＴＩの設定方法
【０２３６】
ＳＳバーストセット周期が基本値(ｄｅｆａｕｌｔ ｖａｌｕｅ)とは異なるように設定される場合、ＰＢＣＨ ＴＴＩは以下の方式のうち、１つによって決定できる。一例として、ＳＳバーストセット周期値として、{５ｍｓ、１０ｍｓ、２０ｍｓ、４０ｍｓ、８０ｍｓ}のうちの１つが設定される場合、ＰＢＣＨ ＴＴＩは以下のＯｐｔｉｏｎにより決定される。
【０２３７】
(１)Ｏｐｔ１：ＰＢＣＨ ＴＴＩを常に同一に維持
【０２３８】
この方式において、ＳＳバーストセット周期の設定とは関係なく、ＰＢＣＨ ＴＴＩが同一の値に維持されるように設定できる。
【０２３９】
１)Ｏｐｔ１−１
【０２４０】
より具体的には、ＰＢＣＨ ＴＴＩはＳＳバーストセット周期として指定可能な値のうち、最大値に固定されて運営できる。一例として、ＳＳバーストセット周期値として{５ｍｓ、１０ｍｓ、２０ｍｓ、４０ｍｓ、８０ｍｓ}のうち、１つが設定される場合、ＰＢＣＨ ＴＴＩは最大値である８０ｍｓに設定されることができる。
【０２４１】
設定されたＳＳバーストセット周期によってＰＢＣＨ ＴＴＩ区間の間に送信されるＰＢＣＨの回数は{１６、８、４、２、１}のうちの１つである。
【０２４２】
２)Ｏｐｔ１−２
【０２４３】
この方式において、ＰＢＣＨ ＴＴＩはＳＳバーストセット周期として指定可能な値のうち、１つの値に固定されて運営できる。一例として、ＳＳバーストセット周期値として{５ｍｓ、１０ｍｓ、２０ｍｓ、４０ｍｓ、８０ｍｓ}のうち、１つが設定される場合、ＰＢＣＨ ＴＴＩは４０ｍｓに設定されることができる。
【０２４４】
この時、ＰＢＣＨ ＴＴＩ区間の間にＰＢＣＨが送信されない場合が発生することもできる。一例として、ＳＳバーストセット周期が８０ｍｓであり、ＰＢＣＨ ＴＴＩが４０ｍｓに設定されることができる。この時、ＰＢＣＨは連続するＰＢＣＨ ＴＴＩのうち、１つのＴＴＩに対するＴＴＩ区間の間に１回送信されることができる。
【０２４５】
(２)Ｏｐｔ２:ＳＳバーストセットの周期によってＰＢＣＨ ＴＴＩが可変する
【０２４６】
１)Ｏｐｔ２−１
【０２４７】
この方式において、ＳＳバーストセット周期とは関係なく、ＰＢＣＨ ＴＴＩ当たり送信されるＰＢＣＨ回数は固定される。このために、ＳＳバーストセット周期とＰＢＣＨ ＴＴＩは固定比率を有するように設定される。
【０２４８】
一例として、ＳＳバーストセット周期値として{５ｍｓ、１０ｍｓ、２０ｍｓ、４０ｍｓ、８０ｍｓ}のうちの１つが設定される場合、ＰＢＣＨ ＴＴＩ ＰｂはＮ＊Ｐｓを有するように設定される。これにより、ＰＢＣＨ ＴＴＩの間に設定されたＳＳバーストセット周期とは関係なくＰＢＣＨはＮ回送信可能である。
【０２４９】
２)Ｏｐｔ２−２
【０２５０】
上述したＯｐｔ２−１の場合、ＳＳバーストセット周期Ｐｓが大きい場合、ＰＢＣＨ ＴＴＩが非常に大きくなる問題がある。一例として、Ｎ＝４であり、Ｐｓ＝８０である場合、ＰＢＣＨ ＴＴＩ Ｐｂは３２０ｍｓと設定されることができる。
【０２５１】
このような問題を補完する方案として、Ｐｂが有し得る値は特定値に限定される。一例として、ＰＢＣＨ ＴＴＩ ＰｂはＰｂ＝ｍａｘ{Ｎ＊Ｐｓ、Ｐｂ_ｍａｘ}と設定される。
【０２５２】
さらに、ＰＢＣＨを介して伝達されるＭＩＢ(Ｍａｓｔｅｒ Ｓｙｓｔｅｍ Ｉｎｆｏｒｍａｔｉｏｎ)にはＵＥがシステムのフレーム時間を分かるようにＳＦＮ情報が含まれる。従来のＬＴＥシステムの場合、基地局は情報量を最小化するために、ＰＢＣＨ ＴＴＩを構成するラジオフレームのＳＦＮ値の共通部分(即ち、ＳＦＮのＭＳＢ(ｍｏｓｔ ｓｉｇｎｉｆｉｃａｎｔ ｂｉｔ))のみをＵＥに知らせることができる。一例として、従来のＬＴＥシステムにおいて、ＰＢＣＨ ＴＴＩが４０ｍｓであると、基地局はＳＦＮで２ｂｉｔ ＬＳＢを除いて、残りのＭＳＢのみをＵＥに知らせることができる。
【０２５３】
但し、上述したＯｐｔ２方式によってＰＢＣＨ ＴＴＩが可変できるので、ＭＩＢに含まれるＳＦＮ情報フィールドの長さは以下の方案により設計できる。以下、ラジオフレームは１０ｍｓであり、ＳＦＮは(Ｌ)ｂｉｔと表現される場合を仮定して説明する。
【０２５４】
[１]Ｏｐｔ−Ａ:ＳＦＮ情報フィールド長さの可変
【０２５５】
具体的には、設定されたＰＢＣＨ ＴＴＩによってＳＦＮ情報フィールドの長さが可変するように設定される。一例として、ＰＢＣＨ ＴＴＩとラジオフレームの比率がＲである場合、ＭＩＢのＳＦＮは上位Ｌ−ｌｏｇ２(Ｒ)ｂｉｔのみに送信されることにより、ＳＦＮ情報フィールドは該当長さで構成されることができる。
【０２５６】
１]Ｏｐｔ−Ａ−１
【０２５７】
ＳＦＮ情報フィールドの長さが変動するので、全体ＭＩＢ情報の長さも変更できる。この時、ＵＥはＰＢＣＨデコーディング前にＰＢＣＨ ＴＴＩを他の方法を通じて既に知っていると仮定する。よって、ＵＥは全体ＭＩＢ情報の長さを決定し、これによりＰＢＣＨデコーディングを行うことができる。
【０２５８】
２]Ｏｐｔ−Ａ−２
【０２５９】
ＳＦＮ情報フィールドの長さ変動により全体ＭＩＢ情報の長さが変更しないように留保ビット(ｒｅｓｅｒｖｅｄ ｂｉｔ)の長さが逆に可変するように設定することができる。即ち、ＳＦＮ情報フィールドの長さと留保ビットの長さの和を一定に設定することにより、全体ＭＩＢ情報の長さが変更しないようにすることができる。この時、ＵＥはＰＢＣＨデコーディング前にＰＢＣＨ ＴＴＩを正確に知らなくてもＰＢＣＨデコーディングが可能である。この時、ＰＢＣＨ ＴＴＩ又はＳＳバーストセット周期情報はＭＩＢに含まれて送信される。
【０２６０】
[２]Ｏｐｔ−Ｂ:ＳＦＮ情報フィールドの長さを固定
【０２６１】
１]Ｏｐｔ−Ｂ−１
【０２６２】
ＳＦＮ情報フィールドの長さはＰＢＣＨ ＴＴＩが最小値を有する時に求められるＳＦＮ情報フィールドの長さに設定される。一例として、ＰＢＣＨ ＴＴＩの最小値とラジオフレームの比率がＲ_ｍｉｎである場合、ＭＩＢのＳＦＮは上位Ｌ−ｌｏｇ２(Ｒ_ｍｉｎ)ｂｉｔに設定されることができる。
【０２６３】
２]Ｏｐｔ−Ｂ−２
【０２６４】
基地局はＭＩＢに含まれるＳＦＮ情報としてＰＢＣＨ ＴＴＩの１番目のラジオフレームのＳＦＮを減らせず、(Ｌ)ビットサイズをそのままＵＥに知らせることができる。
【０２６５】
３.４．ＳＳＳインデックのスホッピング方法
【０２６６】
さらに、ＵＥはＳＳＳ検出により隣接セルを検出し、更なる検証過程なしにＳＳＳの平均受信レベルを測定した結果をハンドオーバーの決定を助けるために第３階層(Ｌａｙｅｒ３)と基地局に報告することができる。
【０２６７】
この方式において、エラーにより仮想のセルが誤検出(ｆａｌｓｅ ｄｅｔｅｃｔｉｏｎ)されて無意味な報告になる回数を最小化することが好ましい。この時、ＳＳＳの誤検出は、２つのセルの間のＳＳＳシーケンス間のコーリレイション(ｃｏｒｒｅｌａｔｉｏｎ)特性が悪い場合に発生確立が高くなる。一例として、ａ−ｔｈセルで送信するＳＳＳ(ＳＳＳａと表示)とｂ−ｔｈセルで送信するＳＳＳ(ＳＳＳｂと表示)の間の一般化したコーリレイション値(ｎｏｒｍａｌｉｚｅｄ ｃｏｒｒｅｌａｔｉｏｎ ｖａｌｕｅ)が０.５を超える場合、ＵＥはＳＳＳaが検出された場合に、ＳＳＳaより３ｄＢ弱いＳＳＳｂも共に検出されたと判断することができる。
【０２６８】
このようなＳＳＳの誤検出の発生確率を低くするための方法として、各セルで使用されるＳＳＳを時間によって変化させる方法を使用できる。
【０２６９】
一例として、上記３.２．で説明したように、１つのセルで使用されるＳＳＳがＰＢＣＨ ＴＴＩ区間に合わせて循環されて使用されることにより、該当セルで使用するＳＳＳを時間によって変更することができる。又は、ＳＳＳの循環周期はＰＢＣＨ ＴＴＩの倍数で定義されることができる。又は、ＳＳＳの循環周期はＳＳバーストセット周期の倍数で定義されることができる。
【０２７０】
ＳＳＳ循環周期区間の間にi−番目に送信される同じビームのＳＳ／ＰＢＣＨブロック内のＳＳＳをＳＳＳ(ｉ)と表示した場合、基地局はＳＳＳ(ｉ)(ｉ＝１，…,Ｎ)を異なるようにして他のセルで送信されるＳＳＳ間のコーリレイションをランダム化(ｒａｎｄｏｍｉｚａｔｉｏｎ)することができる。即ち、基地局はａ−ｔｈセルで使用するＳＳＳa(ｉ)とｂ−ｔｈセルで使用するＳＳＳb(ｉ)の間のコーリレイション値が時間によって変化するように各セルに付与されるＳＳＳ(ｉ)のパターンを設計できる。
【０２７１】
さらに、物理的セルＩＤが全体Ｌ個である場合、基地局はＳＳＳa(ｉ)(ａ＝１，…，Ｌ、ｉ＝１，…,Ｎ)に各々異なるシーケンスを割り当てることができる。かかる方式はＳＳＳ(ｉ)のパターンを容易に設計できるという長所がある。しかし、全体Ｌ＊Ｎ個のＳＳＳシーケンスを必要とするので、ＵＥの立場ではセル検出過程でＬ＊Ｎ個のうち、どのＳＳＳシーケンスが送信されたかを決定する必要があり、計算の複雑度が増加する短所がある。
【０２７２】
さらに、基地局はＬ個又はｃ＊Ｌ(ｃ＜Ｎ)個のシーケンスのみを使用してＬ個のセルのＳＳＳａ(ｉ)のパターンを設計することができる。この提案方式を以下のように表現できる。
【０２７３】
［数１］
ＳＳＳａ(ｉ)＝Ｓ(ｆ(ａ，ｉ))、ａ＝１，…，Ｌ、ｉ＝１，…,Ｎ
【０２７４】
ここで、ｆ(ａ，ｉ)はＳＳＳとして使用可能なｃ＊Ｌ個のシーケンスを意味し、Ｓ(ｍ)(ここで、ｍ＝１，…,(ｃ＊Ｌ)のうち１つの値)はａ−ｔｈセルにおいてｉ−番目のＳＳＳにどのシーケンスが付与されたかを知らせる関数を示す。
【０２７５】
一例として、ｃ＝１の場合、ｆ(ａ，ｉ)は以下の通りである。
【０２７６】
[数２]
ｆ(ａ，ｉ)＝ｍｏｄ(ａ＋ｉ−２、Ｌ)＋１
【０２７７】
Ｎ＝４の場合、１ｓｔ ｃｅｌｌ(ａ＝１)はＳＳＳシーケンスとしてＳ(１)、Ｓ(２)、Ｓ(３)、Ｓ(４)を循環して使用できる。また２ｎｄ ｃｅｌｌ(ａ＝２)はＳＳＳシーケンスとしてＳ(２)、Ｓ(３)、Ｓ(４)、Ｓ(５)を循環して使用できる。かかる方式において、最終セルＩＤはＳＳバーストセット周期の境界と検出されたＳＳＳシーケンスのパターンによって最終確認できる。
【０２７８】
他の例として、ｃ＝１の場合、ｆ(ａ，ｉ)は以下の通りである。
【０２７９】
[数３]
ｆ(ａ，ｉ)＝ｍｏｄ(Ｌ’^(ａ＋ｉ−２)、Ｌ’)
【０２８０】
ここで、Ｌ’はＬより大きい素数(ｐｒｉｍｅ ｎｕｍｂｅｒ)を示す。このように基地局はＳＳＳシーケンスとしてＬ’を生成して使用できる。又はＬ個のＳＳＳシーケンスが使用されるシーケンスを使用する場合、Ｌより大きいインデックスが生成されると、それを捨て、時間インデックスｉをさらに増加させる。
【０２８１】
図１３は本発明に適用可能な端末と基地局の間の信号送受信方法を示す図である。
【０２８２】
まず、基地局１００は送信する１つ以上の同期信号／物理放送チャネルブロック(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅｌ Ｂｌｏｃｋ；ＳＳ／ＰＢＣＨブロック)を生成する(Ｓ１３１０)。この時、ＳＳ／ＰＢＣＨブロックはＰＳＳ、ＳＳＳ、ＰＢＣＨを含むので、基地局１００は各ＳＳ／ＰＢＣＨブロックに対応するＰＳＳ、ＳＳＳ、ＰＢＣＨが含まれるように各ＳＳ／ＰＢＣＨブロックを生成することができる。
【０２８３】
特に、基地局１００は、各ＳＳ／ＰＢＣＨブロックごとのＰＢＣＨのためのＤＭ−ＲＳシーケンスが各ＳＳ／ＰＢＣＨブロックのインデックスを指示できるように各ＳＳ／ＰＢＣＨブロックを生成するか、又は各ＳＳ／ＰＢＣＨブロックごとのＰＢＣＨのためのＤＭ−ＲＳシーケンス及び各ＳＳ／ＰＢＣＨブロックごとのＰＢＣＨに含まれた情報の組み合わせが各ＳＳ／ＰＢＣＨブロックのインデックスを指示できるように各ＳＳ／ＰＢＣＨブロックを生成することができる。
【０２８４】
このための方法として、基地局は各ＳＳ／ＰＢＣＨブロックに含まれたＰＢＣＨのためのＤＭ−ＲＳのシーケンスをセル識別子(ｃｅｌｌ ｉｄｅｎｔｉｆｉｅｒ；ｃｅｌｌ ＩＤ)及び各ＳＳ／ＰＢＣＨブロックインデックスを活用して生成することができる。この時、各ＳＳ／ＰＢＣＨブロックに含まれたＰＢＣＨのためのＤＭ−ＲＳのシーケンスはゴールドシーケンス(Ｇｏｌｄ Ｓｅｑｕｅｎｃｅ)で生成可能である。
【０２８５】
次いで、基地局１００は１つ以上のＳＳ／ＰＢＣＨブロックを送信する(Ｓ１３２０)。より具体的には、基地局１００は図１２のように複数のＳＳ／ＰＢＣＨブロックを送信することができる。一例として、基地局１００は各ＳＳ／ＰＢＣＨブロックを互いに独立する(又は互いに異なる)ビーム方向に送信する。これにより、特定の端末１の立場では、複数のＳＳ／ＰＢＣＨブロックのうち、１つのＳＳ／ＰＢＣＨブロックのみが受信されるか、又は複数のＳＳ／ＰＢＣＨブロックが受信されるが、これらのうち、あるＳＳ／ＰＢＣＨブロックの信号強度は大きく、他のＳＳ／ＰＢＣＨブロックの信号強度が小さいことができる。
【０２８６】
ここで、ＳＳ／ＰＢＣＨブロックに含まれたＰＢＣＨの送信時間区間(ｔｒａｎｓｍｉｓｓｉｏｎ Ｔｉｍｅ Ｉｎｔｅｒｖａｌ；ＴＴＩ)は８０ｍｓと設定できる。言い換えれば、各ＳＳ／ＰＢＣＨブロックに含まれたＰＢＣＨは、８０ｍｓの間に同じ情報が含まれて送信される。
【０２８７】
上記構成を端末１の立場で詳しく説明すると、端末１は１つ以上のＳＳ／ＰＢＣＨブロックのうち、一部又は全部を受信することができる。
【０２８８】
次いで、端末１は受信されたＳＳ／ＰＢＣＨブロックを検出する(Ｓ１３３０)。より具体的には、端末１は受信されたＳＳ／ＰＢＣＨブロックに含まれたＰＢＣＨのためのＤＭ−ＲＳのシーケンス(又はシーケンスとＰＢＣＨに含まれた情報の組み合わせ)に基づいてＳＳ／ＰＢＣＨブロックのインデックスを検出することができる。上記の過程により、端末１は図１２に示した複数のＳＳ／ＰＢＣＨブロックのうち、受信されたＳＳ／ＰＢＣＨブロックのインデックス(又は位置など)を検出することができる。
【０２８９】
さらに、端末１はＳＳ／ＰＢＣＨブロックに含まれたＰＳＳ及びＳＳＳに基づいて、時間同期及びセル識別子(ｃｅｌｌ ｉｄｅｎｔｉｆｉｅｒ；ｃｅｌｌ ＩＤ)を得ることができる。
【０２９０】
次いで、端末１は決定されたＳＳ／ＰＢＣＨブロックインデックスに基づいてスロット境界などを検出することにより、基地局１００と同期化及び信号送受信を行う(Ｓ１３４０)。
【０２９１】
本発明が適用可能なＮＲシステムは１つ以上のビーム方向への送信を支援できるので、基地局１００は互いに独立するビーム方向に対応するＳＳ／ＰＢＣＨブロックを送信することができる。これに対応して、端末１は上記受信されたＳＳ／ＰＢＣＨブロックに含まれたＰＢＣＨのためのＤＭ−ＲＳのシーケンス(又はシーケンスとＰＢＣＨに含まれた情報の組み合わせ)に基づいて受信されたＳＳ／ＰＢＣＨブロックのインデックスを検出することにより、スロット境界(及びサブフレーム境界、ハーフフレーム境界、フレーム境界など)を検出して基地局と同期化を行うことができる。
【０２９２】
上述した提案方式に対する一例も本発明の具現方法の１つとして含まれてもよく、一種の提案方式と見なし得ることは明白な事実である。また、上述した提案方式は独立して具現されてもよく、一部の提案方式の組合せ(又は、併合)の形態で具現されてもよい。上記提案方法適用の有無に関する情報(又は、上記提案方法の規則に関する情報)は、基地局が端末に事前に定義されたシグナル(例えば、物理層シグナル又は上位層シグナル)で知らせるように規則が定義されてもよい。
【０２９３】
４．装置構成
【０２９４】
図１４は提案する実施例を具現できる端末及び基地局の構成を示す図である。図１４に示した端末及び基地局は、上述した端末及び基地局の間の信号送受信方法の実施例を具現するように動作する。
【０２９５】
端末(ＵＥ：Ｕｓｅｒ Ｅｑｕｉｐｍｅｎｔ)１は、上りリンクでは送信端として動作し、下りリンクでは受信端として動作することができる。また、基地局(ｅＮＢ：ｅ−Ｎｏｄｅ Ｂ)１００は、上りリンクでは受信端として動作し、下りリンクでは送信端として動作することができる。
【０２９６】
即ち、端末及び基地局は、情報、データ及び／又はメッセージの送信及び受信を制御するためにそれぞれ、送信器(Ｔｒａｎｓｍｉｔｔｅｒ)１０，１１０及び受信器(Ｒｅｃｅｉｖｅｒ)２０，１２０を含むことができ、情報、データ及び／又はメッセージを送受信するためのアンテナ３０，１３０などを含むことができる。
【０２９７】
また、端末及び基地局はそれぞれ、上述した本発明の実施例を行うためのプロセッサ(Ｐｒｏｃｅｓｓｏｒ)４０，１４０、及びプロセッサの処理過程を臨時的に又は持続的に記憶できるメモリ５０，１５０を含むことができる。
【０２９８】
このように構成された端末１は、受信器２０を介して、基地局１００から同期信号／物理放送チャネルブロック(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅl Ｂｌｏｃｋ；ＳＳ／ＰＢＣＨ ｂｌｏｃｋ)を受信する。その後、端末１は、プロセッサ４０を通じて、ＳＳ／ＰＢＣＨ ｂｌｏｃｋに含まれた物理放送チャネル(Ｐｈｙｓｉｃａｌ Ｂｒｏａｄｃａｓｔ Ｃｈａｎｎｅl；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は該シーケンスとＰＢＣＨに含まれた情報の組み合わせに基づいて、上記受信したＳＳ／ＰＢＣＨ ｂｌｏｃｋのインデックスを決定する。また端末１は、送信器１０及び受信器２０を介して、上記決定されたＳＳ／ＰＢＣＨ ｂｌｏｃｋのインデックスに基づいて基地局と同期化を行う。
【０２９９】
これに対応して、基地局１００は、送信器１１０を介して、１つ以上の同期信号／物理放送チャネルブロック(Ｓｙｎｃｈｒｏｎｉｚａｔｉｏｎ Ｓｉｇｎａｌ／Ｐｈｙｓｉｃａｌ Ｂｒｏａｄｃａｓｔ Ｃｈａｎｎｅl Ｂｌｏｃｋ；ＳＳ／ＰＢＣＨ ｂｌｏｃｋ)を送信する。この時、各ＳＳ／ＰＢＣＨ ｂｌｏｃｋに含まれた物理放送チャネル(Ｐｈｙｓｉｃａｌ Ｂｒｏａｄｃａｓｔ Ｃｈａｎｎｅl；ＰＢＣＨ)のための復調参照信号(Ｄｅｍｏｄｕｌａｔｉｏｎ Ｒｅｆｅｒｅｎｃｅ Ｓｉｇｎａｌ；ＤＭ−ＲＳ)のシーケンス、又は該シーケンスとＰＢＣＨに含まれた情報の組み合わせは、各ＳＳ／ＰＢＣＨ ｂｌｏｃｋのインデックスを指示するように設定される。
【０３００】
次いで、基地局１００は送信器１１０及び受信器１２０を介して１つ以上のＳＳ／ＰＢＣＨ ｂｌｏｃｋに基づいて基地局と同期化を行う端末と信号を送受信する。
【０３０１】
端末及び基地局に含まれた送信器及び受信器は、データ送信のためのパケット変復調機能、高速パケットチャネルコーディング機能、直交周波数分割多重接続(ＯＦＤＭＡ：Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)パケットスケジューリング、時分割デュプレックス(ＴＤＤ：Ｔｉｍｅ Ｄｉｖｉｓｉｏｎ Ｄｕｐｌｅｘ)パケットスケジューリング及び／又はチャネル多重化機能を有することができる。また、図１４の端末及び基地局は、低電力ＲＦ(Ｒａｄｉｏ Ｆｒｅｑｕｅｎｃｙ)／ＩＦ(Ｉｎｔｅｒｍｅｄｉａｔｅ Ｆｒｅｑｕｅｎｃｙ)ユニットをさらに含むことができる。
【０３０２】
一方、本発明において端末として、個人携帯端末機(ＰＤＡ：Ｐｅｒｓｏｎａｌ Ｄｉｇｉｔａｌ Ａｓｓｉｓｔａｎｔ)、セルラーフォン、個人通信サービス(ＰＣＳ：Ｐｅｒｓｏｎａｌ Ｃｏｍｍｕｎｉｃａｔｉｏｎ Ｓｅｒｖｉｃｅ)フォン、ＧＳＭ(Ｇｌｏｂａｌ Ｓｙｓｔｅｍ ｆｏｒ Ｍｏｂｉｌｅ)フォン、ＷＣＤＭＡ(Ｗｉｄｅｂａｎｄ ＣＤＭＡ)フォン、ＭＢＳ(Ｍｏｂｉｌｅ Ｂｒｏａｄｂａｎｄ Ｓｙｓｔｅｍ)フォン、ハンドヘルドＰＣ(Ｈａｎｄ−Ｈｅｌｄ ＰＣ)、ノートＰＣ、スマート(Ｓｍａｒｔ)フォン、又はマルチモードマルチバンド(ＭＭ−ＭＢ：Ｍｕｌｔｉ Ｍｏｄｅ−Ｍｕｌｔｉ Ｂａｎｄ)端末機などを用いることができる。
【０３０３】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム(例えば、ＣＤＭＡ(Ｃｏｄｅ Ｄｉｖｉｓｉｏｎ Ｍｕｌｔｉｐｌｅ Ａｃｃｅｓｓ)２０００システム、ＷＣＤＭＡ(Ｗｉｄｅｂａｎｄ ＣＤＭＡ)システムなど)のいずれにおいても作動し得る端末機のことを指す。
【０３０４】
本発明の実施例は、様々な手段によって具現することができる。例えば、本発明の実施例は、ハードウェア、ファームウェア(ｆｉｒｍｗａｒｅ)、ソフトウェア、又はそれらの結合などによって具現することができる。
【０３０５】
ハードウェアによる具現の場合、本発明の実施例による方法は、１つ又はそれ以上のＡＳＩＣ(ａｐｐｌｉｃａｔｉｏｎ ｓｐｅｃｉｆｉｃ ｉｎｔｅｇｒａｔｅｄ ｃｉｒｃｕｉｔ)、ＤＳＰ(ｄｉｇｉｔａｌ ｓｉｇｎａｌ ｐｒｏｃｅｓｓｏｒ)、ＤＳＰＤ(ｄｉｇｉｔａｌ ｓｉｇｎａｌ ｐｒｏｃｅｓｓｉｎｇ ｄｅｖｉｃｅ)、ＰＬＤ(ｐｒｏｇｒａｍｍａｂｌｅ ｌｏｇｉｃ ｄｅｖｉｃｅ)、ＦＰＧＡ(ｆｉｅｌｄ ｐｒｏｇｒａｍｍａｂｌｅ ｇａｔｅ ａｒｒａｙ)、プロセッサ、コントローラ、マイクロコントローラ、マイクロプロセッサなどによって具現することができる。
【０３０６】
ファームウェアやソフトウェアによる具現の場合、本発明の実施例による方法は、以上で説明した機能又は動作を行うモジュール、手順又は関数などの形態として具現することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０３０７】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０３０８】
本発明の実施例は、様々な無線接続システムに適用することができる。様々な無線接続システムの一例として３ＧＰＰ(３ｒｄ Ｇｅｎｅｒａｔｉｏｎ Ｐａｒｔｎｅｒｓｈｉｐ Ｐｒｏｊｅｃｔ)又は３ＧＰＰ２システムなどがある。本発明の実施例は、上記様々な無線接続システムの他、上記様々な無線接続システムを応用した全ての技術分野にも適用することができる。さらに、提案した方法は、超高周波帯域を利用するｍｍＷａｖｅ通信システムにも適用することができる。
【図１】
2019537879.tif 000013
【図２】
2019537879.tif 000014
【図３】
2019537879.tif 000015
【図４】
2019537879.tif 000016
【図５】
2019537879.tif 000017
【図６】
2019537879.tif 000018
【図７】
2019537879.tif 000019
【図８】
2019537879.tif 000020
【図９】
2019537879.tif 000021
【図１０】
2019537879.tif 000022
【図１１】
2019537879.tif 000023
【図１２】
2019537879.tif 000024
【図１３】
2019537879.tif 000025
【図１４】
2019537879.tif 000026
【国際調査報告】
2019537879.tif 000027
2019537879.tif 000028
2019537879.tif 000029
2019537879.tif 000030